(57)【特許請求の範囲】
【請求項１】
ユーザ端末装置において、
フォールディングラインを基準に第１領域及び前記第１領域より広い第２領域に区分されるディスプレイと、
ユーザインタラクションを検知する検知部と、
前記フォールディングラインを基準に前記ディスプレイのフォールディングが検知された場合、前記第２領域の中で外部に露出された露出領域に予め設定されたＵＩをディスプレイするように前記ディスプレイを制御する制御部と
を含み、
前記制御部は、
前記ディスプレイがフォールディングされた状態で前記露出領域に前記ユーザ端末装置のロック状態を解除するためのＵＩをディスプレイする場合、前記ユーザ端末装置のロック状態を解除するためのＵＩを通じてロック解除命令が入力された後で前記ディスプレイのアンフォールディングが検知されると、ホームスクリーンをディスプレイするように前記ディスプレイを制御し、前記ユーザ端末装置のロック状態を解除するためのＵＩを通じてロック解除命令が入力されずに前記ディスプレイのアンフォールディングが検知されると、前記ユーザ端末装置のロック状態を解除するためのＵＩを全画面にディスプレイするように前記ディスプレイを制御するユーザ端末装置。
【請求項２】
前記制御部は、
前記ユーザ端末装置が特定アプリケーションを実行する間に、前記フォールディングラインを基準に前記ディスプレイのフォールディングが検知された場合、前記露出領域に前記特定アプリケーションを制御するためのＵＩをディスプレイするように前記ディスプレイを制御することを特徴とする請求項１に記載のユーザ端末装置。
【請求項３】
前記制御部は、
前記ディスプレイがフォールディングされた状態で予め設定されたユーザインタラクションが検知された場合、前記露出領域に前記ユーザ端末装置のロック状態を解除するためのＵＩをディスプレイするように前記ディスプレイを制御することを特徴とする請求項１に記載のユーザ端末装置。
【請求項４】
前記制御部は、
前記ディスプレイがフォールディングされた状態で予め設定されたユーザインタラクションが検知された場合、前記露出領域に前記ユーザ端末装置の設定を変更するためのＵＩをディスプレイするように前記ディスプレイを制御することを特徴とする請求項１に記載のユーザ端末装置。
【請求項５】
メッセージを送受信する通信部を更に含み、
前記ディスプレイがフォールディングされた状態でメッセージが受信された場合、前記露出領域に前記メッセージが受信されたことを報知するＵＩをディスプレイするように前記ディスプレイを制御することを特徴とする請求項１に記載のユーザ端末装置。
【請求項６】
前記制御部は、
前記露出領域にメッセージが受信されたことを報知するＵＩが表示される間に、予め設定された角度まで前記ディスプレイのアンフォールディングが検知されると、前記メッセージに応答するためのメッセージウィンドウをディスプレイするように前記ディスプレイを制御することを特徴とする請求項５に記載のユーザ端末装置。
【請求項７】
前記制御部は、
前記ディスプレイがフォールディングされた状態で、前記露出領域に１つ以上のアイコンがディスプレイされる場合、複数のアイコンのうちの１つをタッチした状態で前記ディスプレイのアンフォールディングが検知されると、前記タッチされたアイコンに対応する画面をディスプレイするように前記ディスプレイを制御することを特徴とする請求項１に記載のユーザ端末装置。
【請求項８】
前記制御部は、
前記タッチされたアイコンが写真アイコンである場合、上部領域に通話画像及び共有しようとする写真を選択するためのリストをディスプレイするように前記ディスプレイを制御することを特徴とする請求項７に記載のユーザ端末装置。
【請求項９】
前記制御部は、
前記ディスプレイがフォールディングされた状態で特定アプリケーションを実行する間にメッセージが受信された場合、前記露出領域に前記メッセージが受信されたことを報知するＵＩをディスプレイするように前記ディスプレイを制御し、
前記露出領域に前記メッセージが受信されたことを報知するＵＩをタッチした状態で前記ディスプレイのアンフォールディングが検知された場合、前記メッセージに応答するためのメッセージウィンドウをディスプレイするように前記ディスプレイを制御し、
前記露出領域に前記メッセージが受信されたことを報知するＵＩをタッチしていない状態で前記ディスプレイのアンフォールディングが検知された場合、前記特定アプリケーションの実行画面をディスプレイするように前記ディスプレイを制御することを特徴とする請求項１に記載のユーザ端末装置。
【請求項１０】
前記制御部は、
前記ディスプレイがフォールディングされた状態で通話要請が受信されると、前記露出領域に外部から通話要請が受信されたことを報知するＵＩをディスプレイするように前記ディスプレイを制御し、
前記ディスプレイが第１角度範囲にアンフォールディングされた場合、前記通話機能を制御するための少なくとも１つのアイコンをディスプレイするように前記ディスプレイを制御し、
前記ディスプレイが第１角度範囲以上の第２角度範囲内でアンフォールディングされた場合、前記通話要請を受け入れ、通話画面をディスプレイするように前記ディスプレイを制御することを特徴とする請求項１に記載のユーザ端末装置。
【請求項１１】
前記制御部は、
前記ディスプレイがフォールディングされた状態で特定アプリケーションを実行する間に通話要請が受信された場合、前記露出領域に前記通話要請が受信されたことを報知するＵＩをディスプレイするように前記ディスプレイを制御し、
前記ディスプレイのアンフォールディングが検知された場合、前記通話要請を受け入れて通話画面をディスプレイするように前記ディスプレイを制御し、
前記通話が終了した場合、前記特定アプリケーションの実行画面をディスプレイするように前記ディスプレイを制御することを特徴とする請求項１に記載のユーザ端末装置。
【請求項１２】
前記制御部は、
前記ディスプレイに特定アプリケーションの実行画面をディスプレイする間に、第１角度までフォールディングされる前記ディスプレイのフォールディングが検知されると、前記第２領域の中で少なくとも一部に前記特定アプリケーションの実行画面の中の一部をディスプレイするように前記ディスプレイを制御し、前記ディスプレイの前記第１領域と前記第２領域とが相接するようにする前記ディスプレイのフォールディングが検知されると、前記露出領域に前記特定アプリケーションの単純情報提供画面をディスプレイするように前記ディスプレイを制御することを特徴とする請求項１に記載のユーザ端末装置。
【請求項１３】
ユーザ端末装置のディスプレイ方法において、
フォールディングラインを基準に第１領域及び前記第１領域より広い第２領域に区分されるディスプレイに映像をディスプレイするステップと、
前記フォールディングラインを基準に前記ディスプレイのフォールディングが検知された場合、前記第２領域の中で外部に露出された露出領域に予め設定されたＵＩをディスプレイするステップと、
前記ディスプレイがフォールディングされた状態で前記露出領域に前記ユーザ端末装置のロック状態を解除するためのＵＩをディスプレイする場合、前記ユーザ端末装置のロック状態を解除するためのＵＩを通じてロック解除命令が入力された後で前記ディスプレイのアンフォールディングが検知されると、ホームスクリーンをディスプレイし、前記ユーザ端末装置のロック状態を解除するためのＵＩを通じてロック解除命令が入力されずに前記ディスプレイのアンフォールディングが検知されると、前記ユーザ端末装置のロック状態を解除するためのＵＩを全画面にディスプレイするステップと
を含むディスプレイ方法。
【請求項１４】
前記露出領域に予め設定されたＵＩをディスプレイするステップは、
前記ユーザ端末装置が特定アプリケーションを実行する間に、フォールディングラインを基準に前記ディスプレイのフォールディングが検知された場合、前記露出領域に前記特定アプリケーションを制御するためのＵＩをディスプレイすることを特徴とする請求項１３に記載のディスプレイ方法。
【発明の詳細な説明】
【技術分野】
【０００１】
本発明は、ユーザ端末装置及びそのディスプレイ方法に関し、より詳細には、フォールディングライン（Ｆｏｌｄｉｎｇ  Ｌｉｎｅ）を基準にディスプレイが非対称的にフォールディングされてディスプレイの一部が外部に露出されるユーザ端末装置及びそのディスプレイ方法に関する。
【背景技術】
【０００２】
電子技術の発達により、多様なユーザ端末装置が開発及び普及されている。近来は、ユーザ端末装置も小型化しており、その機能は更に多様化しているため、需要がますます増加しつつある。
【０００３】
ユーザ端末装置は、ユーザの要求に応じて、マルチメディアコンテンツや、アプリケーション画面等のように多様なコンテンツを提供することができる。ユーザは、ユーザ端末装置に備えられたボタンやタッチスクリーン等を用いて、自らが使用しようとする機能を選択することができる。ユーザ端末装置は、ユーザとのインタラクションに応じて選択的にプログラムを実行させ、その実行結果をディスプレイすることができる。
【０００４】
一方、ユーザ端末装置から提供可能な機能が次第に多様化するにつれ、コンテンツをディスプレイする方式やユーザインタラクション方式に対しても様々なニーズが生じている。すなわち、コンテンツをディスプレイする方式が変化し、コンテンツの種類及び機能が大きく増大することにより、単にボタンを選択したり、タッチスクリーンをタッチする従来のインタラクション方式では、ユーザ端末装置の多様な機能を実行させるのに追いつかないことが生じるおそれがある。
【０００５】
特に、ユーザ端末装置の小型化のために、フォールディングラインを基準にディスプレイが折り畳まれる機能をもつユーザ端末装置が開発されている。しかし、フォールディングラインを基準に対称的にディスプレイが折り畳まれる場合、ディスプレイが折り畳まれてユーザがディスプレイを使用したり視聴することができなくなるという問題点が生じる。
【発明の概要】
【発明が解決しようとする課題】
【０００６】
そこで、本発明は、上記問題に鑑みてなされたものであり、本発明の目的とするところは、フォールディングラインを基準にディスプレイが非対称的にフォールディングされる場合、ディスプレイの中で外部に露出される露出領域に多様なＵＩを提供することができるユーザ端末装置及びそのディスプレイ方法を提供することにある。
【課題を解決するための手段】
【０００７】
上記目的を達成するための本発明の一実施形態に係るユーザ端末装置において、フォールディングライン（Ｆｏｌｄｉｎｇ  Ｌｉｎｅ）を基準に第１領域及び前記第１領域より広い第２領域に区分されるディスプレイと、ユーザインタラクションを検知する検知部と、前記フォールディングラインを基準に前記ディスプレイのフォールディング（ｆｏｌｄｉｎｇ）が検知された場合、前記第２領域の中で外部に露出された露出領域に予め設定されたＵＩをディスプレイするように前記ディスプレイを制御する制御部とを含む。
【０００８】
前記制御部は、前記ユーザ端末装置が特定アプリケーションを実行する間に、前記フォールディングラインを基準に前記ディスプレイのフォールディングが検知された場合、前記露出領域に前記特定アプリケーションを制御するためのＵＩをディスプレイするように前記ディスプレイを制御してよい。
【０００９】
前記制御部は、前記ディスプレイがフォールディングされた状態で予め設定されたユーザインタラクションが検知された場合、前記露出領域に前記ユーザ端末装置のロック状態を解除するためのＵＩをディスプレイするように前記ディスプレイを制御してよい。
【００１０】
前記制御部は、前記ディスプレイがフォールディングされた状態で予め設定されたユーザインタラクションが検知された場合、前記露出領域に前記ユーザ端末装置の設定を変更するためのＵＩをディスプレイするように前記ディスプレイを制御してよい。
【００１１】
メッセージを送受信する通信部を更に含み、前記ディスプレイがフォールディングされた状態でメッセージが受信された場合、前記露出領域に前記メッセージが受信されたことを報知するＵＩをディスプレイするように前記ディスプレイを制御してよい。
【００１２】
前記制御部は、前記露出領域にメッセージが受信されたことを報知するＵＩが表示される間に、予め設定された角度まで前記ディスプレイのアンフォールディング（Ｕｎｆｏｌｄｉｎｇ)が検知されると、前記メッセージに応答するためのメッセージウィンドウをディスプレイするように前記ディスプレイを制御してよい。
【００１３】
前記制御部は、前記ディスプレイがフォールディングされた状態で、前記露出領域に１つ以上のアイコンがディスプレイされる場合、前記複数のアイコンのうちの１つをタッチした状態で前記ディスプレイのアンフォールディングが検知されると、前記タッチされたアイコンに対応する画面をディスプレイするように前記ディスプレイを制御してよい。
【００１４】
前記制御部は、前記タッチされたアイコンが写真アイコンである場合、上部領域に通話画像及び共有しようとする写真を選択するためのリストをディスプレイするように前記ディスプレイを制御してよい。
【００１５】
前記制御部は、前記ディスプレイがフォールディングされた状態で特定アプリケーションを実行する間にメッセージが受信された場合、前記露出領域に前記メッセージが受信されたことを報知するＵＩをディスプレイするように前記ディスプレイを制御し、前記露出領域に前記メッセージが受信されたことを報知するＵＩをタッチした状態で前記ディスプレイのアンフォールディングが検知された場合、前記メッセージに応答するためのメッセージウィンドウをディスプレイするように前記ディスプレイを制御し、前記露出領域に前記メッセージが受信されたことを報知するＵＩをタッチしていない状態で前記ディスプレイのアンフォールディングが検知された場合、前記特定アプリケーションの実行画面をディスプレイするように前記ディスプレイを制御してよい。
【００１６】
前記制御部は、前記ディスプレイがフォールディングされた状態で前記露出領域に前記ユーザ端末装置のロック状態を解除するためのＵＩをディスプレイする場合、前記ユーザ端末装置のロック状態を解除するためのＵＩを通じてロック解除命令が入力された後で前記ディスプレイのアンフォールディングが検知されると、ホームスクリーンをディスプレイするように前記ディスプレイを制御し、前記ユーザ端末装置のロック状態を解除するためのＵＩを通じてロック解除命令が入力されずに前記ディスプレイのアンフォールディングが検知されると、前記ユーザ端末装置のロック状態を解除するためのＵＩを全画面にディスプレイするようにディスプレイを制御してよい。
【００１７】
前記制御部は、前記ディスプレイがフォールディングされた状態で通話要請が受信されると、前記露出領域に外部から通話要請が受信されたことを報知するＵＩをディスプレイするように前記ディスプレイを制御し、前記ディスプレイが第１角度範囲にアンフォールディングされた場合、前記通話機能を制御するための少なくとも１つのアイコンをディスプレイするように前記ディスプレイを制御し、前記ディスプレイが第１角度範囲以上の第２角度範囲内でアンフォールディングされた場合、前記通話要請を受け入れ、通話画面をディスプレイするように前記ディスプレイを制御してよい。
【００１８】
前記制御部は、前記ディスプレイがフォールディングされた状態で特定アプリケーションを実行する間に通話要請が受信された場合、前記露出領域に前記通話要請が受信されたことを報知するＵＩをディスプレイするように前記ディスプレイを制御し、前記ディスプレイのアンフォールディングが検知された場合、前記通話要請を受け入れて通話画面をディスプレイするように前記ディスプレイを制御し、前記通話が終了した場合、前記特定アプリケーションの実行画面をディスプレイするように前記ディスプレイを制御してよい。
【００１９】
前記制御部は、前記ディスプレイに特定アプリケーションの実行画面をディスプレイする間に、第１角度までフォールディングされる前記ディスプレイのフォールディングが検知されると、前記第２領域の中で少なくとも一部に前記特定アプリケーションの実行画面の中の一部をディスプレイするように前記ディスプレイを制御し、前記ディスプレイの第１領域と第２領域とが相接するようにする前記ディスプレイのフォールディングが検知されると、前記露出領域に前記特定アプリケーションの単純情報提供画面をディスプレイするようにディスプレイを制御してよい。
【００２０】
一方、上記目的を達成するための本発明の一実施形態に係るユーザ端末装置のディスプレイ方法は、フォールディングライン（Ｆｏｌｄｉｎｇ  Ｌｉｎｅ）を基準に第１領域及び前記第１領域より広い第２領域に区分されるディスプレイに映像をディスプレイするステップと、前記フォールディングラインを基準に前記ディスプレイのフォールディング（ｆｏｌｄｉｎｇ）が検知された場合、前記第２領域の中で外部に露出された露出領域に予め設定されたＵＩをディスプレイするステップとを含む。
【００２１】
前記露出領域に予め設定されたＵＩをディスプレイするステップは、前記ユーザ端末装置が特定アプリケーションを実行する間に、前記フォールディングラインを基準に前記ディスプレイのフォールディングが検知された場合、前記露出領域に前記特定アプリケーションを制御するためのＵＩをディスプレイしてよい。
【００２２】
前記ディスプレイがフォールディングされた状態で予め設定されたユーザインタラクションが検知された場合、前記露出領域に前記ユーザ端末装置のロック状態を解除するためのＵＩをディスプレイするステップを含んでよい。
【００２３】
前記ディスプレイがフォールディングされた状態で予め設定されたユーザインタラクションが検知された場合、前記露出領域に前記ユーザ端末装置の設定を変更するためのＵＩをディスプレイするステップを含んでよい。
【００２４】
前記ディスプレイがフォールディングされた状態でメッセージが受信された場合、前記露出領域に前記メッセージが受信されたことを報知するＵＩをディスプレイするステップを含んでよい。
【００２５】
前記ディスプレイがフォールディングされた状態で前記露出領域にメッセージが受信されたことを報知するＵＩがディスプレイされる場合、前記メッセージが受信されたことを報知するＵＩをタッチした状態で予め設定された角度までの前記ディスプレイのアンフォールディングが検知されると、前記メッセージに応答するためのメッセージウィンドウをディスプレイするステップを含んでよい。
【００２６】
前記ディスプレイステップは、前記露出領域に複数のアイコンをディスプレイし、前記ディスプレイがフォールディングされた状態で前記露出領域に１つ以上のアイコンがディスプレイされる場合、前記１つ以上のアイコンのうちの１つをタッチした状態で前記ディスプレイのアンフォールディングが検知されると、前記タッチされたアイコンに対応する画面をディスプレイするステップを更に含んでよい。
【００２７】
前記ディスプレイがフォールディングされた状態で特定アプリケーションを実行する間にメッセージが受信された場合、前記露出領域に前記メッセージが受信されたことを報知するＵＩをディスプレイするステップと、前記メッセージが受信されたことを報知するＵＩをタッチした状態で前記ディスプレイのアンフォールディングが検知された場合、前記メッセージに応答するためのメッセージウィンドウをディスプレイし、前記メッセージが受信されたことを報知するＵＩをタッチしていない状態で前記ディスプレイのアンフォールディングが検知された場合、前記特定アプリケーションの実行画面をディスプレイするステップとを含んでよい。
【００２８】
前記ディスプレイステップは、前記ディスプレイがフォールディングされた状態で前記露出領域に前記ユーザ端末装置のロック状態を解除するためのＵＩをディスプレイし、前記ユーザ端末装置のロック状態を解除するためのＵＩを通じてロック解除命令が入力された後で前記ディスプレイのアンフォールディングが検知されると、ホームスクリーンをディスプレイし、前記ユーザ端末装置のロック状態を解除するためのＵＩを通じてロック解除命令が入力されずに前記ディスプレイのアンフォールディングが検知されると、前記ユーザ端末装置のロック状態を解除するためのＵＩを全画面にディスプレイするステップを含んでよい。
【００２９】
前記ディスプレイステップは、前記ディスプレイがフォールディングされた状態で通話要請が受信されると、前記露出領域に外部から通話要請が受信されたことを報知するＵＩをディスプレイし、前記ディスプレイが第１角度範囲にアンフォールディングされた場合、前記通話機能を制御するための少なくとも１つのアイコンをディスプレイし、前記ディスプレイが第１角度範囲以上の第２角度範囲にアンフォールディングされた場合、前記通話要請を受け入れ、通話画面をディスプレイするステップを含んでよい。
【００３０】
前記ディスプレイがフォールディングされた状態で特定アプリケーションを実行する間に通話要請が受信された場合、前記露出領域に前記通話要請が受信されたことを報知するＵＩをディスプレイするステップと、前記露出領域に前記通話要請が受信されたことを報知するＵＩがディスプレイする間に前記ディスプレイのアンフォールディングが検知された場合、前記通話要請を受け入れて通話画面をディスプレイするステップと、前記通話が終了した場合、前記特定アプリケーションの実行画面をディスプレイするステップとを含んでよい。
【００３１】
前記ディスプレイに特定アプリケーションの実行画面をディスプレイする間に、前記ディスプレイを第１角度までフォールディングが検知されると、前記第２領域の中で少なくとも一部に前記特定アプリケーションの実行画面の中の一部をディスプレイするステップと、前記ディスプレイの第１領域と第２領域とが相接するようにする前記ディスプレイのフォールディングが検知されると、前記露出領域に前記特定アプリケーションの単純情報提供画面をディスプレイするステップとを含んでよい。
【００３２】
一方、本発明の一実施形態に係るフォールダブルディスプレイ装置が提供される。
【００３３】
本フォールダブルディスプレイ装置は、第１領域及び前記第１領域より広い第２領域を含むディスプレイ、このときディスプレイは第１及び第２領域に分ける軸に沿ってフォールディングされてよく、ユーザ入力を検知可能なタッチ検知部と、ディスプレイのフォールディング角度を検知するフォールディング検知部を含む検知部と、第２領域の露出領域上にユーザインターフェースをディスプレイするように前記ディスプレイを制御する制御部とを含む。
【００３４】
前記制御部は、前記ディスプレイのフォールディング角度に応じて異なる数字の報知メッセージをディスプレイするようにディスプレイを制御してよい。
【００３５】
前記制御部は、第１角度範囲内のフォールディング角度が検知されると、２つの報知メッセージを表示し、第１角度範囲より大きい第２角度範囲内のフォールディング角度が検知されると、３つの報知メッセージをディスプレイするように前記ディスプレイを制御してよい。
【発明の効果】
【００３６】
以上説明したような本発明によれば、ユーザはディスプレイがフォールディングされた状態でも露出領域にディスプレイされるＵＩを通じてユーザ端末装置の多様な機能を行うことができ、多様な情報の提供を受けることができるようになる。
【図面の簡単な説明】
【００３７】
【図１】本発明の一実施形態に係るユーザ端末装置の構成を概略的に示すブロック図である。
【図２】本発明の一実施形態に係るユーザ端末装置の構成を詳細に示すブロック図である。
【図３Ａ】本発明の一実施形態に係る正方形状のディスプレイパネルを有するユーザ端末装置を示す図である。
【図３Ｂ】本発明の一実施形態に係る正方形状のディスプレイパネルを有するユーザ端末装置を示す図である。
【図３Ｃ】本発明の一実施形態に係る正方形状のディスプレイパネルを有するユーザ端末装置を示す図である。
【図３Ｄ】本発明の一実施形態に係る正方形状のディスプレイパネルを有するユーザ端末装置を示す図である。
【図３Ｅ】本発明の一実施形態に係る正方形状のディスプレイパネルを有するユーザ端末装置を示す図である。
【図４】本発明の一実施形態に係る保存部に保存されたソフトウェアの構成を説明するための図である。
【図５Ａ】本発明の多様な実施形態に係る露出領域にディスプレイされるＵＩを示す図である。
【図５Ｂ】本発明の多様な実施形態に係る露出領域にディスプレイされるＵＩを示す図である。
【図５Ｃ】本発明の多様な実施形態に係る露出領域にディスプレイされるＵＩを示す図である。
【図５Ｄ】本発明の多様な実施形態に係る露出領域にディスプレイされるＵＩを示す図である。
【図６Ａ】本発明の多様な実施形態に係る露出領域にディスプレイされるＵＩを示す図である。
【図６Ｂ】本発明の多様な実施形態に係る露出領域にディスプレイされるＵＩを示す図である。
【図６Ｃ】本発明の多様な実施形態に係る露出領域にディスプレイされるＵＩを示す図である。
【図６Ｄ】本発明の多様な実施形態に係る露出領域にディスプレイされるＵＩを示す図である。
【図７Ａ】本発明の多様な実施形態に係る露出領域にディスプレイされるＵＩを示す図である。
【図７Ｂ】本発明の多様な実施形態に係る露出領域にディスプレイされるＵＩを示す図である。
【図８Ａ】本発明の多様な実施形態に係るフォールディングインタラクション及びアンフォールディングインタラクションに応じてユーザ端末装置の多様な機能を行う実施形態を説明するための図である。
【図８Ｂ】本発明の多様な実施形態に係るフォールディングインタラクション及びアンフォールディングインタラクションに応じてユーザ端末装置の多様な機能を行う実施形態を説明するための図である。
【図９Ａ】本発明の多様な実施形態に係るフォールディングインタラクション及びアンフォールディングインタラクションに応じてユーザ端末装置の多様な機能を行う実施形態を説明するための図である。
【図９Ｂ】本発明の多様な実施形態に係るフォールディングインタラクション及びアンフォールディングインタラクションに応じてユーザ端末装置の多様な機能を行う実施形態を説明するための図である。
【図１０Ａ】本発明の多様な実施形態に係るフォールディングインタラクション及びアンフォールディングインタラクションに応じてユーザ端末装置の多様な機能を行う実施形態を説明するための図である。
【図１０Ｂ】本発明の多様な実施形態に係るフォールディングインタラクション及びアンフォールディングインタラクションに応じてユーザ端末装置の多様な機能を行う実施形態を説明するための図である。
【図１１Ａ】本発明の多様な実施形態に係るフォールディングインタラクション及びアンフォールディングインタラクションに応じてユーザ端末装置の多様な機能を行う実施形態を説明するための図である。
【図１１Ｂ】本発明の多様な実施形態に係るフォールディングインタラクション及びアンフォールディングインタラクションに応じてユーザ端末装置の多様な機能を行う実施形態を説明するための図である。
【図１１Ｃ】本発明の多様な実施形態に係るフォールディングインタラクション及びアンフォールディングインタラクションに応じてユーザ端末装置の多様な機能を行う実施形態を説明するための図である。
【図１１Ｄ】本発明の多様な実施形態に係るフォールディングインタラクション及びアンフォールディングインタラクションに応じてユーザ端末装置の多様な機能を行う実施形態を説明するための図である。
【図１２Ａ】本発明の多様な実施形態に係るフォールディングインタラクション及びアンフォールディングインタラクションに応じてユーザ端末装置の多様な機能を行う実施形態を説明するための図である。
【図１２Ｂ】本発明の多様な実施形態に係るフォールディングインタラクション及びアンフォールディングインタラクションに応じてユーザ端末装置の多様な機能を行う実施形態を説明するための図である。
【図１２Ｃ】本発明の多様な実施形態に係るフォールディングインタラクション及びアンフォールディングインタラクションに応じてユーザ端末装置の多様な機能を行う実施形態を説明するための図である。
【図１３Ａ】本発明の多様な実施形態に係るフォールディングインタラクション及びアンフォールディングインタラクションに応じてユーザ端末装置の多様な機能を行う実施形態を説明するための図である。
【図１３Ｂ】本発明の多様な実施形態に係るフォールディングインタラクション及びアンフォールディングインタラクションに応じてユーザ端末装置の多様な機能を行う実施形態を説明するための図である。
【図１４Ａ】本発明の多様な実施形態に係るフォールディングインタラクション及びアンフォールディングインタラクションに応じてユーザ端末装置の多様な機能を行う実施形態を説明するための図である。
【図１４Ｂ】本発明の多様な実施形態に係るフォールディングインタラクション及びアンフォールディングインタラクションに応じてユーザ端末装置の多様な機能を行う実施形態を説明するための図である。
【図１４Ｃ】本発明の多様な実施形態に係るフォールディングインタラクション及びアンフォールディングインタラクションに応じてユーザ端末装置の多様な機能を行う実施形態を説明するための図である。
【図１５Ａ】本発明の多様な実施形態に係るフォールディングインタラクション及びアンフォールディングインタラクションに応じてユーザ端末装置の多様な機能を行う実施形態を説明するための図である。
【図１５Ｂ】本発明の多様な実施形態に係るフォールディングインタラクション及びアンフォールディングインタラクションに応じてユーザ端末装置の多様な機能を行う実施形態を説明するための図である。
【図１５Ｃ】本発明の多様な実施形態に係るフォールディングインタラクション及びアンフォールディングインタラクションに応じてユーザ端末装置の多様な機能を行う実施形態を説明するための図である。
【図１５Ｄ】本発明の多様な実施形態に係るフォールディングインタラクション及びアンフォールディングインタラクションに応じてユーザ端末装置の多様な機能を行う実施形態を説明するための図である。
【図１６Ａ】本発明の多様な実施形態に係るフォールディングインタラクション及びアンフォールディングインタラクションに応じてユーザ端末装置の多様な機能を行う実施形態を説明するための図である。
【図１６Ｂ】本発明の多様な実施形態に係るフォールディングインタラクション及びアンフォールディングインタラクションに応じてユーザ端末装置の多様な機能を行う実施形態を説明するための図である。
【図１７Ａ】本発明の多様な実施形態に係るフォールディングインタラクション及びアンフォールディングインタラクションが検知される場合、ユーザ端末装置が機能を維持する実施形態を説明するための図である。
【図１７Ｂ】本発明の多様な実施形態に係るフォールディングインタラクション及びアンフォールディングインタラクションが検知される場合、ユーザ端末装置が機能を維持する実施形態を説明するための図である。
【図１７Ｃ】本発明の多様な実施形態に係るフォールディングインタラクション及びアンフォールディングインタラクションが検知される場合、ユーザ端末装置が機能を維持する実施形態を説明するための図である。
【図１７Ｄ】本発明の多様な実施形態に係るフォールディングインタラクション及びアンフォールディングインタラクションが検知される場合、ユーザ端末装置が機能を維持する実施形態を説明するための図である。
【図１７Ｅ】本発明の多様な実施形態に係るフォールディングインタラクション及びアンフォールディングインタラクションが検知される場合、ユーザ端末装置が機能を維持する実施形態を説明するための図である。
【図１８Ａ】本発明の多様な実施形態に係るフォールディングインタラクション及びアンフォールディングインタラクションが検知される場合、ユーザ端末装置が機能を維持する実施形態を説明するための図である。
【図１８Ｂ】本発明の多様な実施形態に係るフォールディングインタラクション及びアンフォールディングインタラクションが検知される場合、ユーザ端末装置が機能を維持する実施形態を説明するための図である。
【図１８Ｃ】本発明の多様な実施形態に係るフォールディングインタラクション及びアンフォールディングインタラクションが検知される場合、ユーザ端末装置が機能を維持する実施形態を説明するための図である。
【図１８Ｄ】本発明の多様な実施形態に係るフォールディングインタラクション及びアンフォールディングインタラクションが検知される場合、ユーザ端末装置が機能を維持する実施形態を説明するための図である。
【図１８Ｅ】本発明の多様な実施形態に係るフォールディングインタラクション及びアンフォールディングインタラクションが検知される場合、ユーザ端末装置が機能を維持する実施形態を説明するための図である。
【図１９Ａ】本発明の多様な実施形態に係るフォールディングインタラクション及びアンフォールディングインタラクションが検知される場合、ユーザ端末装置が機能を維持する実施形態を説明するための図である。
【図１９Ｂ】本発明の多様な実施形態に係るフォールディングインタラクション及びアンフォールディングインタラクションが検知される場合、ユーザ端末装置が機能を維持する実施形態を説明するための図である。
【図１９Ｃ】本発明の多様な実施形態に係るフォールディングインタラクション及びアンフォールディングインタラクションが検知される場合、ユーザ端末装置が機能を維持する実施形態を説明するための図である。
【図２０Ａ】本発明の多様な実施形態に係るフォールディングインタラクション及びアンフォールディングインタラクションが検知される場合、ユーザ端末装置が機能を維持する実施形態を説明するための図である。
【図２０Ｂ】本発明の多様な実施形態に係るフォールディングインタラクション及びアンフォールディングインタラクションが検知される場合、ユーザ端末装置が機能を維持する実施形態を説明するための図である。
【図２０Ｃ】本発明の多様な実施形態に係るフォールディングインタラクション及びアンフォールディングインタラクションが検知される場合、ユーザ端末装置が機能を維持する実施形態を説明するための図である。
【図２１Ａ】本発明の多様な実施形態に係るフォールディングインタラクション及びアンフォールディングインタラクションが検知される場合、ユーザ端末装置が機能を維持する実施形態を説明するための図である。
【図２１Ｂ】本発明の多様な実施形態に係るフォールディングインタラクション及びアンフォールディングインタラクションが検知される場合、ユーザ端末装置が機能を維持する実施形態を説明するための図である。
【図２２Ａ】本発明の多様な実施形態に係るフォールディングインタラクション及びアンフォールディングインタラクションが検知される場合、ユーザ端末装置が機能を維持する実施形態を説明するための図である。
【図２２Ｂ】本発明の多様な実施形態に係るフォールディングインタラクション及びアンフォールディングインタラクションが検知される場合、ユーザ端末装置が機能を維持する実施形態を説明するための図である。
【図２３Ａ】本発明の多様な実施形態に係るフォールディングインタラクション及びアンフォールディングインタラクションが検知される場合、ユーザ端末装置が機能を維持する実施形態を説明するための図である。
【図２３Ｂ】本発明の多様な実施形態に係るフォールディングインタラクション及びアンフォールディングインタラクションが検知される場合、ユーザ端末装置が機能を維持する実施形態を説明するための図である。
【図２４】本発明の一実施形態に係るユーザ端末装置のディスプレイ方法を説明するためのフローチャートである。
【図２５Ａ】本発明の多様な実施形態に係るフォールディングインタラクション及びアンフォールディングインタラクションに応じてユーザ端末装置の多様な機能を行う実施形態を説明するための図である。
【図２５Ｂ】本発明の多様な実施形態に係るフォールディングインタラクション及びアンフォールディングインタラクションに応じてユーザ端末装置の多様な機能を行う実施形態を説明するための図である。
【図２６Ａ】本発明の多様な実施形態に係るフォールディングインタラクション及びアンフォールディングインタラクションに応じてユーザ端末装置の多様な機能を行う実施形態を説明するための図である。
【図２６Ｂ】本発明の多様な実施形態に係るフォールディングインタラクション及びアンフォールディングインタラクションに応じてユーザ端末装置の多様な機能を行う実施形態を説明するための図である。
【図２７Ａ】本発明の多様な実施形態に係るフォールディングインタラクション及びアンフォールディングインタラクションに応じてユーザ端末装置の多様な機能を行う実施形態を説明するための図である。
【図２７Ｂ】本発明の多様な実施形態に係るフォールディングインタラクション及びアンフォールディングインタラクションに応じてユーザ端末装置の多様な機能を行う実施形態を説明するための図である。
【図２８Ａ】本発明の別の実施形態に係る露出領域にカバーが被せられる実施形態を説明するための図である。
【図２８Ｂ】本発明の別の実施形態に係る露出領域にカバーが被せられる実施形態を説明するための図である。
【図２８Ｃ】本発明の別の実施形態に係る露出領域にカバーが被せられる実施形態を説明するための図である。
【図２８Ｄ】本発明の別の実施形態に係る露出領域にカバーが被せられる実施形態を説明するための図である。
【図２９Ａ】本発明の別の実施形態に係る露出領域にカバーが被せられる実施形態を説明するための図である。
【図２９Ｂ】本発明の別の実施形態に係る露出領域にカバーが被せられる実施形態を説明するための図である。
【図２９Ｃ】本発明の別の実施形態に係る露出領域にカバーが被せられる実施形態を説明するための図である。
【図３０Ａ】本発明の別の実施形態に係る露出領域にカバーが被せられる実施形態を説明するための図である。
【図３０Ｂ】本発明の別の実施形態に係る露出領域にカバーが被せられる実施形態を説明するための図である。
【図３０Ｃ】本発明の別の実施形態に係る露出領域にカバーが被せられる実施形態を説明するための図である。
【図３１Ａ】本発明の別の実施形態に係る露出領域にカバーが被せられる実施形態を説明するための図である。
【図３１Ｂ】本発明の別の実施形態に係る露出領域にカバーが被せられる実施形態を説明するための図である。
【発明を実施するための形態】
【００３８】
本実施形態は多様な置き換えを加えることができ、様々な実施形態を有することができることから、特定の実施形態を図に例示して詳細に説明する。しかし、それは特定の実施形態に対して範囲を限定するためのものではなく、開示された思想及び技術範囲に含まれる全ての置き換え、均等物ないし代替物を含むと理解されるべきである。実施形態を説明するうえで関連する公知技術に対する具体的な説明が要旨を曖昧にすると判断される場合にはその具体的な説明を省略する。
【００３９】
第１及び第２などという用語は、多様な構成要素を説明するうえで使用されるが、構成要素は用語によって限定されるべきではない。用語は、１つの構成要素を別の構成要素と区別する目的としてのみ使用される。
【００４０】
本出願で使用した用語は単に特定の実施形態を説明するために使用されたものとして、権利範囲を限定するためのものではない。単数の表現は文脈上明らかに相違なものを意味しない限り、複数の表現を含む。本出願において、“含む”または“構成される”等の用語は明細書上に記載された特徴、数字、ステップ、動作、構成要素、部品またはこれらの組み合わせが存在することを指定するためのものであって、１つまたはそれ以上の別の特徴や数字、ステップ、動作、構成要素、部品またはこれらを組み合わせたものの存在または付加可能性を予め排除していないと理解されるべきである。
【００４１】
実施形態において、「モジュール」或いは「部」は、少なくとも１つの機能や動作を行い、ハードウェアまたはソフトウェアで実現されたり、ハードウェアとソフトウェアとの組み合わせから実現されてよい。なお、複数の「モジュール」或いは複数の「部」は特定のハードウェアで実現される必要のある「モジュール」或いは「部」を除いては少なくとも１つのモジュールで一体化して少なくとも１つのプロセッサ（図示せず）で実現されてよい。
【００４２】
以下、実施形態を添付図面を参照して詳細に説明する。
【００４３】
図１は、本発明の一実施形態に係るユーザ端末装置１００の構成を概略に示すブロック図である。図１に示すように、ユーザ端末装置１００は、ディスプレイ１１０と、検知部１２０及び制御部１３０を含む。このとき、ユーザ端末装置１００は、テレビ、モニタ、パソコン、ラップトップパソコン、携帯電話、タブレットパソコン、タッチスクリーン、ＰＤＡ、ＭＰ３プレーヤ、キヨスク端末、デジタルフォトフレーム、テーブルディスプレイ装置、ＬＣＤディスプレイ、ＬＥＤディスプレイ、ＯＬＥＤディスプレイ、カメラ、時計、ウェアラブルデバイス等のように、多様な装置で実現されてよい。携帯電話やタブレットパソコン、ＰＤＡ、ＭＰ３プレーヤ、ラップトップパソコン、時計、ウェアラブルディスプレイ等のように、携帯可能な装置で実現される場合にはモバイルデバイスと称してよいが、本明細書では目的を提案せずに説明の便宜のために、ユーザ端末装置として称して説明する。
【００４４】
ディスプレイ１１０は、多様な映像データ及びＵＩをディスプレイする。特に、ディスプレイ１１０はタッチ検知部と組み合わせてタッチスクリーンで実現されてよい。なお、ディスプレイ１１０は、ディスプレイ１１０がフォールディングされ得るようにフォールディングラインを含んでよい。
【００４５】
特に、ディスプレイ１１０はフォールディングラインを基準に第１領域及び第１領域より広い第２領域で構成されている。そして、フォールディングラインを基準に第１領域及び第２領域が相接するようにディスプレイがフォールディングされる場合、ディスプレイ１１０はフォールディングされた状態で第２領域の中で外部に露出される露出領域にユーザ端末装置１００に関する情報を含むＵＩ及びユーザ端末装置１００を制御するためのＵＩのうち少なくとも一方を含んでよい。
【００４６】
検知部１２０は、ユーザインタラクションを検知する。特に、検知部１２０は、ユーザタッチインタラクションを検知するタッチ検知部を含んでよい。なお、検知部１２０は、ディスプレイ１１０がフォールディングラインを基準にフォールディングされるフォールディングインタラクション及びディスプレイ１１０がフォールディングラインを基準にアンフォールディングされるアンフォールディングインタラクションを検知するフォールディング検知部を含んでよい。
【００４７】
制御部１３０は、ユーザ端末装置１００の動作全般を制御する。特に、フォールディングラインを基準にディスプレイがフォールディングされた場合、制御部１３０は第２領域の中で外部に露出された露出領域に予め設定されたＵＩをディスプレイするようにディスプレイ１１０を制御することができる。このとき、予め設定されたＵＩはユーザ端末装置１００に対する状態情報を示すＵＩ及びユーザ端末装置１００を制御するためのＵＩのうち少なくとも一方を含んでよい。なお、露出領域は第１領域と第２領域とが完全に相接する場合、第２領域の中で外部に露出される領域を意味する。
【００４８】
特に、ユーザ端末装置１００が特定アプリケーションを実行する間に、検知部１２０を介してディスプレイ１１０がフォールディングラインを基準にフォールディングされるフォールディングインタラクションが検知された場合、制御部１３０は第２領域の露出領域に特定アプリケーションを制御するためのＵＩをディスプレイするようにディスプレイ１１０を制御することができる。例えば、ユーザ端末装置１００が音楽アプリケーションを実行する間に、検知部１２０を介してディスプレイ１１０がフォールディングラインを基準にフォールディングされるフォールディングインタラクションが検知された場合、制御部１３０は露出領域に音楽再生を制御するためのＵＩをディスプレイするようにディスプレイ１１０を制御することができる。
【００４９】
なお、ディスプレイ１１０がフォールディングされる間に、予め設定されたユーザインタラクション（例えば、露出領域をタッチするタッチインタラクション）が検知された場合、制御部１３０は第２領域の露出領域にユーザ端末装置１００のロック状態を解除するためのＵＩをディスプレイするようにディスプレイ１１０を制御することができる。
【００５０】
なお、ディスプレイ１１０がフォールディングされる間に、予め設定されたユーザインタラクション（例えば、露出領域をタッチするタッチインタラクション）が検知された場合、制御部１３０は露出領域にユーザ端末装置１００の設定を変更するためのＵＩをディスプレイするようにディスプレイ１１０を制御することができる。例えば、ディスプレイ１１０がフォールディングされる間に、露出領域をタッチするタッチインタラクションが検知された場合、制御部１３０は露出領域にユーザ端末装置１００のオーディオ、ビデオまたは別の設定を変更するためのＵＩをディスプレイするようにディスプレイ１１０を制御することができる。
【００５１】
なお、ディスプレイ１１０がフォールディングされる間に、装置の外部からメッセージが受信された場合、制御部１３０は露出領域にメッセージが受信されたことを報知するＵＩをディスプレイするようにディスプレイ１１０を制御することができる。このとき、露出領域にディスプレイされるＵＩには発信者に対する情報及びメッセージに対する情報を含んでよい。
【００５２】
そして、ディスプレイ１１０がフォールディングされた状態で露出領域にメッセージが受信されたことを報知するＵＩがディスプレイされる場合、ＵＩをタッチした状態で前記ディスプレイを予め設定された角度まで開かれるアンフォールディングインタラクションが検知されると、制御部１３０は受信されたメッセージに応答するためのメッセージウィンドウをディスプレイするようにディスプレイ１１０を制御することができる。
【００５３】
しかし、装置は、予め設定された角度を利用することに限られない。それは、角度の範囲であってよい。なお、ユーザによって設定され得る角度または角度範囲であってよい。
【００５４】
なお、制御部１３０は、ディスプレイ１１０がフォールディングされた状態で露出領域に複数のアイコンをディスプレイするようにディスプレイ１１０を制御することができる。そして、ディスプレイ１１０がフォールディングされた状態で露出領域に複数のアイコンがディスプレイされる間に、検知部１２０を介して複数のアイコンのうちの１つをタッチした状態で、ディスプレイ１１０を開くアンフォールディングインタラクションが検知される場合、制御部１３０はタッチされたアイコンに対応する画面をディスプレイするようにディスプレイ１１０を制御することができる。例えば、複数のアイコンのうち、メッセージアイコンをタッチした状態でディスプレイ１１０を開くアンフォールディングインタラクションが検知された場合、制御部１３０はメッセージアイコンに対応するメッセージウィンドウをディスプレイするようにディスプレイ１１０を制御することができる。勿論、装置はメッセージアイコンによって制限されない。アイコンは、別のアイコン（例えば、音楽アイコン、電話アイコン、書類アイコン等）等であってよい。
【００５５】
なお、ユーザ端末装置１００がフォールディングされた状態で特定アプリケーションを実行する間に外部からメッセージが受信された場合、制御部１３０は露出領域にメッセージが受信されたことを報知するＵＩをディスプレイするようにディスプレイ１１０を制御することができる。そして、検知部１２０を介してＵＩをタッチした状態でディスプレイ１１０を開くアンフォールディングインタラクションが検知された場合、制御部１３０はメッセージに応答するためのメッセージウィンドウをディスプレイするようにディスプレイ１１０を制御することができる。検知部１２０を介してＵＩをタッチしていない状態でディスプレイを開くアンフォールディングインタラクションが検知された場合、制御部１３０は特定アプリケーションの実行画面をディスプレイするようにディスプレイ１１０を制御することができる。
【００５６】
なお、ディスプレイ１１０がフォールディングされた状態で露出領域にユーザ端末装置１００のロック状態を解除するためのＵＩがディスプレイされる場合、ＵＩを通じてロック解除命令が入力された後で検知部１２０を介してディスプレイ１１０を開くアンフォールディングインタラクションが検知されると、制御部１３０はホームスクリーンをディスプレイするようにディスプレイ１１０を制御することができる。しかし、ＵＩを通じてロック解除命令が入力せずに検知部１２０を介してディスプレイ１１０を開くアンフォールディングインタラクションが検知されると、制御部１３０はユーザ端末装置１００のロック状態を解除するためのＵＩを全画面にディスプレイするようにディスプレイ１１０を制御することができる。
【００５７】
なお、ディスプレイ１１０がフォールディングされた状態で外部から通話要請が受信されると、制御部１３０は露出領域に外部から通話要請が受信されたことを報知するＵＩをディスプレイするようにディスプレイ１１０を制御することができる。そして、ディスプレイが第１角度に開かれるアンフォールディングインタラクションが検知された場合、制御部１３０は通話機能を制御するための少なくとも１つのアイコンをディスプレイするようにディスプレイ１１０を制御することができる。そして、ディスプレイが第１角度範囲以上の第２角度範囲に開かれるアンフォールディングインタラクションが検知された場合、制御部１３０は通話要請を受け入れ、通話画面をディスプレイするようにディスプレイ１１０を制御することができる。
【００５８】
なお、ディスプレイがフォールディングされた状態で特定アプリケーションを実行する間に外部から通話要請が受信された場合、制御部１３０は露出領域に通話要請が受信されたことを報知するＵＩをディスプレイするようにディスプレイ１１０を制御することができる。そして、検知部１２０を介してディスプレイ１１０を開くアンフォールディングインタラクションが検知された場合、制御部１３０は通話要請を受け入れて通話画面をディスプレイするようにディスプレイ１１０を制御することができる。そして、通話が終了した場合、制御部１３０は特定アプリケーションの実行画面を再びディスプレイするようにディスプレイ１１０を制御することができる。
【００５９】
なお、ディスプレイ１１０に特定アプリケーションの実行画面をディスプレイする間に、ディスプレイを第１角度までフォールディングされる第１フォールディングインタラクションが検知されると、制御部１３０は第２領域の中で少なくとも一部に特定アプリケーションの実行画面の中の一部をディスプレイするようにディスプレイ１１０を制御することができる。そして、ディスプレイ１１０の第１領域と第２領域とが相接するようにディスプレイ１１０をフォールディングされる第２フォールディングインタラクションが検知されると、制御部１３０は露出領域に特定アプリケーションの単純情報提供画面をディスプレイするようにディスプレイ１１０を制御することができる。
【００６０】
上述のような１つ以上の実施形態によって、ユーザはディスプレイ１１０がフォールディングされた状態でも露出領域にディスプレイされるＵＩを通じてユーザ端末装置の多様な機能を行うことができ、多様な情報及びインタラクションのためのオプションが提供されるようになる。
【００６１】
以下では、図２ないし図２３Ｂを参照し、本発明についてより詳細に説明する。図２は、本発明の一実施形態に係るユーザ端末装置２００の構成を詳細に示すブロック図である。図２に示すように、ユーザ端末装置２００は、映像受信部２１０と、映像処理部２２０と、ディスプレイ２３０と、通信部２４０と、保存部２５０と、オーディオ処理部２６０と、スピーカ部２７０と、検知部２８０及び制御部２９０を含む。
【００６２】
一方、図２は、ユーザ端末装置２００がコンテンツ提供機能、ディスプレイ機能等のように、多様な機能を備えた装置の場合を例に挙げて、各種構成要素を総合的に示すものである。よって、１つ以上の実施形態によっては、図２に示す構成要素の一部は省略または変更されてよく、別の構成要素が更に追加されてよい。
【００６３】
映像受信部２１０は、多様なソースを通じて映像データを受信する。例えば、映像受信部２１０は、外部の放送局から放送データを受信することができ、外部サーバからリアルタイムでＶＯＤデータを受信することができ、外部機器から映像データを受信することができる。
【００６４】
映像処理部２２０は、映像受信部２１０で受信した映像データに対する処理を行う構成要素である。映像処理部２２０では、映像データに対するでコード、スケーリング、ノイズフィルタリング、フレームレート変換、解像度変換等のような多様なイメージ処理を行うことができる。
【００６５】
ディスプレイ２３０は、映像受信部２１０から受信した映像データを映像処理部２２０で処理したビデオフレーム及びグラフィック処理部２９３で生成された多様な画面のうちの少なくとも１つをディスプレイする。
【００６６】
特に、ディスプレイ２３０は、図３Ａに示すように、フォールディングライン３１０を基準に第１領域３２０及び第１領域３２０より広い第２領域３３０で構成されてよい。そして、図３Ｂに示すように、ディスプレイ２３０がフォールディングライン３１０を基準にフォールディングされた場合、ディスプレイ２３０は第２領域３３０の中で一部が外部に露出される露出領域３４０を含んでよい。一方、図３Ｃは、ユーザ端末装置２００がフォールディングされた場合、ユーザ端末装置２００の背面に位置するカバーを示す図である。
【００６７】
一方、上述の実施形態においては、フォールディングライン３１０が短い辺と平行して位置するものとして示されているが、それは一実施形態に過ぎず、図３Ｄに示すように、フォールディングライン３１０が長い辺と平行して位置してよい。このときも、ディスプレイ２３０はフォールディングライン３１０を基準に第１領域３５０及び第２領域３６０で構成されてよい。そして、図３Ｅに示すように、ディスプレイ２３０がフォールディングライン３１０を基準にフォールディングされた場合、ディスプレイ２３０は第２領域３６０の中の一部が外部に露出される露出領域３７０を含んでよい。
【００６８】
一方、上述の実施形態において、フォールディングライン３１０は物理的なヒンジ部によって生成されるラインであってよい。なお、ディスプレイ２３０がフレキシブルディスプレイである場合、フォールディングライン３１０はユーザによって折り畳まれ得るラインを意味することができる。
【００６９】
通信部２４０は、多様な通信方式によって多様な類型の外部機器または通信を行う構成である。通信部２４０は、Ｗｉ−Ｆｉチップ２４１、ブルートゥース(登録商標)チップ２４２、無線通信チップ等２４３、ＮＦＣチップ２４４を含む。制御部２９０は、通信部２４０を用いて各種外部機器と通信を行う。
【００７０】
特に、Ｗｉ−Ｆｉチップ２４１、ブルートゥース(登録商標)チップ２４２はそれぞれＷｉ−Ｆｉ方式、ブルートゥース(登録商標)方式で通信を行う。Ｗｉ−Ｆｉチップ２４１やブルートゥース(登録商標)チップ２４２を用いる場合には、ＳＳＩＤ及びセッションキー等のような各種接続用法を先に送受信し、それを用いて通信接続した後、各種情報を送受信することができる。無線通信チップ２４３は、ＩＥＥＥ、Ｚｉｇｂｅｅ、３Ｇ（３ｒｄ  Ｇｅｎｅｒａｔｉｏｎ）、３ＧＰＰ（３ｒｄ  Ｇｅｎｅｒａｔｉｏｎ  Ｐａｒｔｎｅｒｓｈｉｐ  Ｐｒｏｊｅｃｔ）、ＬＴＥ（Ｌｏｎｇ  Ｔｅｒｍ  Ｅｖｏｌｕｔｉｏｎ）等のような多様な通信規格によって通信を行うチップを意味する。ＮＦＣチップ２４４は、１３５ｋＨｚ、１３．５６ＭＨｚ、４３３ＭＨｚ、８６０〜９６０ＭＨｚ、２．４５ＧＨｚ等のような多様なＲＦ−ＩＤ周波数帯域のうち、１３．５６ＭＨｚ帯域を使用するＮＦＣ（Ｎｅａｒ  Ｆｉｅｌｄ  Ｃｏｍｍｕｎｉｃａｔｉｏｎ）方式で動作するチップを意味する。
【００７１】
保存部２５０は、ユーザ端末装置２００の動作に必要な各種プログラム及びデータを保存することができる。具体的には、保存部２５０にはメイン領域及びサブ領域に表示される各種画面を構成するためのプログラム及びデータ等が保存されてよい。以下では、図４を参照して、ユーザ端末装置２００に保存されたソフトウェアの構造を説明するための図である。図４によると、保存部２５０には、ＯＳ４１０、カーネル４２０、ミドルウェア４３０、アプリケーション４４０等を含むソフトウェアが保存されてよい。
【００７２】
運営体制（Ｏｐｅｒａｔｉｎｇ  Ｓｙｓｔｅｍ：ＯＳ）４１０は、ハードウェアの動作全般を制御して管理する機能を行う。すなわち、ＯＳ４１０は、ハードウェア管理とメモリ、セキュリティ等の基本的な機能を担う階層である。
【００７３】
カーネル４２０は、ディスプレイ２３０から検知されるタッチ信号等をはじめとする各種信号をミドルウェア４３０に伝達する通路としての役割を担う。
【００７４】
ミドルウェア４３０は、ユーザ端末装置２００の動作を制御する各種ソフトウェアモジュールを含む。図４によると、ミドルウェア４３０は、Ｘ１１モジュール４３０−１、ＡＰＰマネージャ４３０−２、接続マネージャ４３０−３、セキュリティモジュール４３０−４、システムマネージャ４３０−５、マルチメディアフレームワーク４３０−６、メインＵＩフレームワーク４３０−７、ウィンドウマネージャ４３０−８、サブＵＩフレームワーク４３０−９を含む。
【００７５】
Ｘ１１モジュール４３０−１は、ユーザ端末装置２００に備えられた各種ハードウェアから各種イベント信号を受信するモジュールである。ここで、イベントとは、ユーザジェスチャが検知されるイベント、システムアラーム（ａｌａｒｍ）が発生するイベント、特定プログラムが実行または終了するイベント等のように多様に設定されてよい。
【００７６】
ＡＰＰマネージャ４３０−２は、保存部２５０にインストールされた各種アプリケーション４４０の実行状態を管理するモジュールである。ＡＰＰマネージャ４３０−２は、Ｘ１１モジュール４３０−１からアプリケーション実行イベントが検知されると、当該イベントに対応するアプリケーションを呼び出して実行させる。
【００７７】
接続マネージャ４３０−３は、有線または無線ネットワーク接続をサポートするためのモジュールである。接続マネージャ４３０−３は、ＤＮＥＴモジュール、ＵＰｎＰモジュール等のような多様な細部モジュールを含んでよい。
セキュリティモジュール４３０−４は、ハードウェアに対する認証（Ｃｅｒｔｉｆｉｃａｔｉｏｎ）、要請許容（Ｐｅｒｍｉｓｓｉｏｎ）、セキュリティ保存（Ｓｅｃｕｒｅ  Ｓｔｏｒａｇｅ）等をサポートするモジュールである。
【００７８】
システムマネージャ４３０−５は、ユーザ端末装置２００内の核構成要素の状態をモニタリングし、そのモニタリング結果を他モジュールに提供する。例えば、バッテリの残量が足りなかったりエラーが生じる場合、通信接続状態が途切れる場合等が発生すると、システムマネージャ４３０−５はそのモニタリング結果をメインＵＩフレームワーク４３０−７やサブＵＩフレームワーク４３０−９に提供して報知メッセージや報知音を出力することができる。
【００７９】
マルチメディアフレームワーク４３０−６は、ユーザ端末装置２００に保存されているか、外部ソースから提供されるマルチメディアコンテンツを再生するためのモジュールである。マルチメディアフレームワーク４３０−６は、プレーヤモジュール、カムコーダモジュール、サウンド処理モジュール等を含んでよい。それにより、各種マルチメディアコンテンツを再生して画面及び音響を生成して再生する動作を行うことができる。
【００８０】
メインＵＩフレームワーク４３０−７は、ディスプレイ２３０のメイン領域に表示する各種ＵＩを提供するためのモジュールであり、サブＵＩフレームワーク４３０−９は、サブ領域に表示する各種ＵＩを提供するためのモジュールである。メインＵＩフレームワーク４３０−７及びサブＵＩフレームワーク４３０−９は、各種オブジェクトを構成するイメージ合成器（Ｉｍａｇｅ  Ｃｏｍｐｏｓｉｔｏｒ  Ｍｏｄｕｌｅ）、オブジェクトが表示される座標を算出する座標合成器、構成されたオブジェクトを算出された座標にレンダリングするレンダリングモジュール、２Ｄまたは３ＤのＵＩを構成するためのツールを提供する２Ｄ／３ＤＵＩツールキット等を含んでよい。
【００８１】
ウィンドウマネージャ４３０−８は、ユーザの身体やペンを用いたタッチイベントやその他の入力イベントを検知することができる。ウィンドウマネージャ４３０−８は、このようなイベントが検知されると、メインＵＩフレームワーク４３０−７又はサブＵＩフレームワーク４３０−９にイベント信号を伝達し、イベントに対応する動作を行うようにする。
【００８２】
その他にも、ユーザが画面をタッチ及びドラッグする場合、ドラッグ軌跡に沿ってラインをドローイングするための手書きモジュールや、動作検知部２８２で検知されたセンサ値に基づいてピッチ角、ロール角、ヨー角等を算出するための角度算出モジュール等のようなプログラムモジュールが保存されてよい。
【００８３】
アプリケーションモジュール４４０は、多様な機能をサポートするためのアプリケーション４４０−１〜４４０−ｎを含む。例えば、ナビゲーションプログラムモジュール、ゲームモジュール、電子書籍モジュール、カレンダモジュール、アラーム管理モジュール、音楽モジュール、電子バンキングモジュール、株式モジュール、電卓モジュール、電子メールモジュール、スプレッドシートモジュール、ワードプロセッサモジュール等のような多様なサービスを提供するためのプログラムモジュールを含んでよい。このようなアプリケーションは、デフォルトでインストールされてよく、ユーザが使用する中で任意にインストールして使用することもできる。メインＣＰＵ２９４は、オブジェクトが選択されると、アプリケーションモジュール４４０を用いて選択されたオブジェクトに対応するアプリケーションを実行させることができる。
【００８４】
図４に表示されたソフトウェア構造は一例に過ぎないため、必ずしもそれに限定されるわけではない。よって、必要に応じて、一部が省略または変形されたり、追加されてよい。例えば、保存部２５０には各種センサでセンシングされた信号を分析するためのセンシングモジュールや、メッセンジャプログラム、ＳＭＳ（Ｓｈｏｒｔ  Ｍｅｓｓａｇｅ  Ｓｅｒｖｉｃｅ）＆ＭＭＳ（Ｍｕｌｔｉｍｅｄｉａ  Ｍｅｓｓａｇｅ  Ｓｅｒｖｉｃｅ）プログラム、Ｅ−ｍａｉｌプログラム等のようなメッセージングモジュール、電話情報収集器（Ｃａｌｌ  Ｉｎｆｏ  Ａｇｇｒｅｇａｔｏｒ）プログラムモジュール、ＶｏＩＰモジュール、ウェブブラウザモジュール等のように、多様なプログラムが更に設けられてよい。
【００８５】
また図２に戻り説明すると、オーディオ処理部２６０は映像コンテンツのオーディオデータに対する処理を行う構成要素である。オーディオ処理部２６０では、オーディオデータに対するデコードや増幅、ノイズフィルタリング、圧縮（ｃｏｍｐｒｅｓｓｉｏｎ）、イコライゼーション（ｅｑｕａｌｉｚａｔｉｏｎ）、ノイズキャンセリング（ｎｏｉｓｅ  ｃａｎｃｅｌｌａｔｉｏｎ）、エコーまたは残響（ｒｅｖｅｒｂ）の消去または追加等のような多様な処理が行われてよい。オーディオ処理部２６０で処理されたオーディオデータはオーディオ出力部２７０（例えば、オーディオ出力装置）に出力されてよい。
【００８６】
オーディオ出力部２７０は、オーディオ処理部２６０によってデコードや増幅、ノイズフィルタリングのような多様な処理作業が行われた各種オーディオデータだけでなく、各種報知音や音声メッセージを出力する構成である。特に、オーディオ出力部２７０は、スピーカで実現されてよいが、それは一実施形態に過ぎないだけで、オーディオデータを出力できる出力端子で実現されてよい。
【００８７】
検知部２８０は、多様なユーザインタラクションを検知する。特に、検知部２８０は、図２に示すように、タッチ検知部２８１、動作検知部２８２及びフォールディング検知部２８３を含んでよい。
【００８８】
具体的に、タッチ検知部２８１は、ディスプレイパネルの背面に付着されたタッチパネルを用いてユーザのタッチインタラクションを検知することができる。動作検知部２８２は、加速度センサ、地磁気センサ、ジャイロセンサのうち少なくとも１つを用いてユーザ端末装置１００の動作（例えば、回転や垂直動作、水平動作等）を検知することができる。フォールディング検知部２８３は、ベンディングセンサ（例えば、照度センサ、光ファイバセンサ、伝導性インク基盤センサ（ｃｏｎｄｕｃｔｉｖｅ  ｉｎｋ−ｂａｓｅｄ  ｓｅｎｓｏｒ）、伝導性ファブリックセンサ（ｃｏｎｄｕｃｔｉｖｅ  ｆａｂｒｉｃ  ｓｅｎｓｏｒ）等）を用いてフォールディングライン３１０を基準にユーザ端末装置２００が折り畳まれたか否か及び折り畳まれた角度のうち、少なくとも一方を検知することができる。
【００８９】
一方、タッチ検知部２８１は、ディスプレイ２３０がフォールディングされた状態で露出領域に配置されたタッチセンサのみを活性化させ、残りの領域に配置されたタッチセンサを非活性化させてよい。
【００９０】
制御部２９０は、保存部２５０に保存された各種プログラムを用いてユーザ端末装置２００の動作全般を制御する。
【００９１】
制御部２９０は、図２に示すように、ＲＡＭ２９１、ＲＯＭ２９２、グラフィック処理部２９３、メインＣＰＵ２９４、第１ないし第ｎインターフェース２９５−１〜２９５−ｎ、バス２９６を含む。このとき、ＲＡＭ２９１、ＲＯＭ２９２、グラフィック処理部２９３、メインＣＰＵ２９４、第１ないし第ｎインターフェース２９５−１〜２９５−ｎ等は、バス２９６を介して相互接続されてよい。
【００９２】
ＲＯＭ２９２には、システムブートのための命令語セット等が保存される。ターンオン命令が入力されて電源が供給されると、メインＣＰＵ２９４は、ＲＯＭ２９２に保存された命令語に応じて保存部２５０に保存されたＯ／ＳをＲＡＭ２９１にコピーし、Ｏ／Ｓを実行させてシステムをブートさせる。ブートが完了すると、メインＣＰＵ２９４は保存部２５０に保存された各種アプリケーションプログラムをＲＡＭ２９１にコピーし、ＲＡＭ２９１にコピーされたアプリケーションプログラムを実行させて各種動作を行う。
【００９３】
グラフィック処理部２９３は、演算部（例えば、演算装置）及びレンダリング部（例えば、レンダリング装置）を用いてアイテム、イメージ、テキスト等のような多様な客体を含む画面を生成する。演算部は、入力部２８０から受信された制御命令を用いて画面のレイアウトに応じて各客体が表示される座標値、形、大きさ、カラー等のような属性値を演算する。レンダリング部は、演算部で演算した属性値に基づいて客体を含む多様なレイアウトの画面を生成する。レンダリング部で生成された画面はディスプレイ２３０のディスプレイ領域内に表示される。
【００９４】
メインＣＰＵ２９４は、保存部２５０にアクセスし、保存部２５０に保存されたＯ／Ｓを用いてブートを行う。そして、メインＣＰＵ２９４は、保存部２５０に保存された各種プログラム、コンテンツ、データ等を用いて多様な動作を行う。
【００９５】
第１ないし第ｎインターフェース２９５−１ないし２９５−ｎは、上述の各種構成要素と接続される。インターフェースのうちの１つは、ネットワークを通じて外部装置と接続されるネットワークインターフェースであってよい。
【００９６】
特に、制御部２９０は、ディスプレイ１１０がフォールディングされた場合、外部に露出される露出領域を用いて多様な機能を提供することができる。
【００９７】
＜露出領域に提供されるＵＩ＞
第１領域３２０が第２領域３３０に相接するようにディスプレイ２３０がフォールディングライン３１０を基準にフォールディングされた場合、制御部２９０は第２領域３２０の中で外部に露出された露出領域３４０に予め設定されたＵＩをディスプレイするようにディスプレイ２３０を制御することができる。このとき、予め設定されたＵＩは、ユーザ端末装置２００に対する状態情報を含むＵＩ及びユーザ端末装置２００を制御するためのＵＩのうち少なくとも一方を含んでよい。
【００９８】
本発明の一実施形態として、第１領域３２０が第２領域３３０に相接するようにディスプレイ２３０がフォールディングライン３１０を基準にフォールディングされるフォールディングインタラクションが検知された場合、制御部２９０は、図５Ａに示すように、露出領域にメモ機能を提供するＵＩ５１０をディスプレイするようにディスプレイ２３０を制御することができる。このとき、メモ機能を提供するＵＩ５１０を介してユーザ入力（例えば、指やペン、スライラス等）が検知された場合、制御部２９０はユーザ入力によるイメージをディスプレイするようにディスプレイ２３０を制御することができる。
【００９９】
なお、制御部２９０は、露出領域に特定アプリケーションを制御するためのＵＩをディスプレイするようにディスプレイ２３０を制御することができる。具体的に、特定アプリケーションが実行される間、第１領域３２０が第２領域３３０に相接するようにディスプレイ２３０がフォールディングライン３１０を基準にフォールディングされるフォールディングインタラクションが検知された場合、制御部２９０は露出領域に特定アプリケーションを制御するためのＵＩをディスプレイするようにディスプレイ２３０を制御することができる。例えば、音楽アプリケーションが実行される間、第１領域３２０が第２領域３３０に相接するようにディスプレイ２３０がフォールディングライン３１０を基準にフォールディングされるフォールディングインタラクションが検知された場合、制御部２９０は、図５Ｂに示すように、露出領域に音楽アプリケーションを制御することができるＵＩ５２０をディスプレイするようにディスプレイ２３０を制御することができる。このとき、音楽アプリケーションを制御することができるＵＩ５２０には、現在再生される音楽に関する情報、再生／停止アイコン、スキップアイコン、巻き戻しアイコン、次の曲、前の曲、おすすめ曲、おすすめしない曲等が含まれてよい。
【０１００】
なお、制御部２９０は、露出領域にユーザ端末装置２００の現在の状態を確認することができる短縮アイコンが含まれたＵＩをディスプレイするようにディスプレイ２３０を制御することができる。例えば、ディスプレイ２３０がフォールディングされた状態で予め設定されたユーザインタラクション（例えば、露出領域を連続的に２回タッチまたはタップするインタラクション等）が検知された場合、制御部２９０は、図５Ｃに示すように、露出領域にユーザ端末装置２００の現在の状態を確認することができる短縮アイコンの含まれたＵＩ５３０をディスプレイするようにディスプレイ２３０を制御することができる。このとき、ユーザ端末装置２００の現在の状態を確認することができる短縮アイコンはバッテリ状態を確認することができる短縮アイコン、ネットワーク状態を確認することができる短縮アイコン、ユーザ端末装置２００のディスプレイの輝度設定を確認することができる短縮アイコン等が含まれてよい。
【０１０１】
なお、制御部２９０は、露出領域に外部からメッセージやデータが受信されたことを報知するＵＩをディスプレイするようにディスプレイ２３０を制御することができる。例えば、ディスプレイ２３０がフォールディングされた状態で通信部２４０を介して外部からＳＮＳメッセージまたはＳＭＳメッセージが受信された場合、制御部２９０は、図５Ｄに示すように、露出領域にＳＮＳメッセージまたはＳＭＳメッセージが受信されたことを報知するＵＩ５４０をディスプレイするようにディスプレイ２３０を制御することができる。このとき、ＳＮＳメッセージまたはＳＭＳメッセージが受信されたことを報知するＵＩ５４０には発信者に対する情報及びＳＮＳメッセージまたはＳＭＳメッセージに対する情報のうち少なくとも一方を含んでよい。
【０１０２】
なお、制御部２９０は、露出領域にユーザ端末装置２００のロック状態を解除するための多様な形態のＵＩをディスプレイするようにディスプレイ２３０を制御することができる。
【０１０３】
具体的に、制御部２９０は、図６Ａに示すように、露出領域にユーザ端末装置２００のロック状態を解除するために、暗証番号を入力するためのＵＩ６１０をディスプレイするようにディスプレイ２３０を制御することができる。このとき、暗証番号を入力するためのＵＩ６１０は上下にスワイプ（ｓｗｉｐｅ）するタッチインタラクションによって番号を変更することができる。露出領域にディスプレイされたＵＩ６１０に予め設定された暗証番号が入力された場合、制御部２９０はユーザ端末装置２００のロック状態を解除することができる。更に、ユーザは、ユーザ入力を通じて暗証番号を設定することができる。
【０１０４】
なお、制御部２９０は、図６Ｂに示すように、露出領域にユーザ端末装置２００のロック状態を解除するために露出領域の角に複数の点を含むＵＩ６２０をディスプレイするようにディスプレイ２３０を制御することができる。このとき、ＵＩ６２０に予め設定されたパターンで点を繋ぐタッチインタラクションが検知された場合、制御部２９０はユーザ端末装置２００のロック状態を解除することができる。具体的に、ユーザはユーザ入力を通じてパターンを設定することができる。
【０１０５】
なお、制御部２９０は、図６Ｃに示すように、露出領域にユーザ端末装置２００のロック状態を解除するために、鍵盤（すなわち、ピアノ）のＵＩ６３０をディスプレイするようにディスプレイ２３０を制御することができる。このとき、ＵＩ６３０に予め設定されたリズムで鍵盤（例えば、ピアノ）をタッチするタッチインタラクションが検知された場合、制御部２９０は、ユーザ端末装置２００のロック状態を解除することができる。
【０１０６】
なお、制御部２９０は、図６Ｄに示すように、露出領域にユーザ端末装置２００のロック状態を解除するために、ホームアイコンを含むＵＩ６４０をディスプレイするようにディスプレイ２３０を制御することができる。このとき、ＵＩ６４０に含まれたホームアイコンを基準にピンチアウト（ｐｉｎｃｈ−ｏｕｔ）するタッチインタラクションが検知された場合、制御部２９０はユーザ端末装置２００のロック状態を解除することができる。
【０１０７】
なお、制御部２９０は、露出領域にユーザ端末装置２００の設定を変更するためのＵＩをディスプレイするようにディスプレイ２３０を制御することができる。
【０１０８】
具体的に、制御部２９０は、図７Ａに示すように、ユーザ端末装置２００の音量を調節可能な弧状のＵＩ７１０をディスプレイするようにディスプレイ２３０を制御することができる。一方、上述の実施形態においては、露出領域にディスプレイされるＵＩが音量を調整するものとして説明したが、それは一実施形態に過ぎず、露出領域にユーザ端末装置２００の別の設定（例えば、ディスプレイの輝度等）を調節することができるＵＩがディスプレイされてよい。
【０１０９】
なお、図７Ｂに示すように、露出領域に含まれた複数の頂点のいずれかから対角線の方向にドラッグするタッチインタラクションが検知された場合、制御部２９０は、タッチインタラクションが検知された頂点に対応するコーナ領域にユーザ端末装置２００の電源をオフにすることができるＵＩ７２０をディスプレイするようにディスプレイ２３０を制御することができる。
【０１１０】
＜フォールディングインタラクション及びアンフォールディングインタラクション＞
ディスプレイ２３０がフォールディングされた状態で露出領域に複数のアイコンがディスプレイされる場合、複数のアイコンのいずれか１つをタッチした状態で、ディスプレイ２３０をアンフォールディングインタラクションが検知された場合、制御部２９０をタッチされたアイコンに対応する画面を全画面でディスプレイするようにディスプレイ２３０を制御することができる。
【０１１１】
具体的に、図８Ａに示すように、ディスプレイ２３０はフォールディングされた状態で第１アイコンないし第４アイコン８１０ないし８４０をディスプレイする。そして、第１アイコンないし第４アイコン８１０ないし８４０のうちの第４アイコン８４０をタッチした状態でディスプレイ２３０をアンフォールディングするアンフォールディングインタラクションが検知された場合、制御部２９０は、図８Ｂに示すように、第４アイコン８４０に対応するメッセージウィンドウ８５０を全画面でディスプレイするようにディスプレイ２３０を制御することができる。
【０１１２】
一方、上述の実施形態においては、第４アイコン８４０がタッチされた状態で、アンフォールディングインタラクションが検知されたものとして説明したが、それは一実施形態に過ぎず、別のアイコンがタッチされた状態でアンフォールディングインタラクションが検知された場合、タッチされた別のアイコンに対応する画面が全画面でディスプレイ２３０にディスプレイされてよい。例えば、第１アイコン８１０がタッチされた状態でアンフォールディングインタラクションが検知された場合、制御部２９０は第１アイコン８１０に対応する電話アプリケーションの実行画面（例えば、最近の通話記録画面、アドレス帳画面、電話発信画面等）を全画面でディスプレイするようにディスプレイ２３０を制御することができる。なお、第２アイコン８２０がタッチされた状態でアンフォールディングインタラクションが検知された場合、制御部２９０は第２アイコン８２０に対応するウェブブラウザ画面を全画面でディスプレイするようにディスプレイ２３０を制御することができる。なお、第３アイコン８３０がタッチされた状態でアンフォールディングインタラクションが検知された場合、制御部２９０は第３アイコン８３０に対応する音楽アプリケーションの実行画面（例えば、音楽再生画面、音楽リスト画面等）を全画面でディスプレイするようにディスプレイ２３０を制御することができる。
【０１１３】
なお、ディスプレイ２３０がフォールディングされた状態で露出領域をタッチした後、ディスプレイ２３０のヒンジ角度を予め設定された角度だけアンフォールディングするアンフォールディングインタラクションが検知された場合、制御部２９０は特定機能を実行するための画面をディスプレイするようにディスプレイ２３０を制御することができる。
【０１１４】
具体的に、ディスプレイ２３０がフォールディングされた状態で、通話要請が受信された場合、制御部２９０は、図９Ａに示すように、露出領域に通話要請が受信されたことを報知するＵＩ９１０をディスプレイするようにディスプレイ２３０を制御することができる。そして、通話要請が受信されたことを報知するＵＩ９１０をタッチした状態で、ディスプレイ２３０のヒンジ角度を予め設定された角度（例えば、７０度ないし１２０度）だけアンフォールディングするアンフォールディングインタラクションが検知された場合、制御部２９０は、図９Ｂに示すように、通話要請を受諾し、スピーカフォン機能を実行し、通話の多様な機能を制御することができる多様なアイコンを含む実行画面９２０をディスプレイするようにディスプレイ２３０を制御することができる。
【０１１５】
具体的に、ディスプレイ２３０がフォールディングされた状態で、ニュース情報１０１０をディスプレイする間に外部からメッセージが受信された場合、制御部２９０は、図１０Ａに示すように、露出領域にニュース情報１０１０とともにメッセージが受信されたことを報知するＵＩ１０２０をディスプレイするようにディスプレイ２３０を制御することができる。そして、メッセージが受信されたことを報知するＵＩ１０２０をタッチした状態で、ディスプレイ２３０のヒンジ角度を予め設定された角度（例えば、７０度ないし１２０度）だけアンフォールディングするアンフォールディングインタラクションが検知された場合、制御部２９０は、図１０Ｂに示すように、受信されたメッセージに返事のメッセージを作成することができるメッセージウィンドウ１０３０をディスプレイするようにディスプレイ２３０を制御することができる。
【０１１６】
なお、制御部２９０は、露出領域をタッチした後、アンフォールディングインタラクションが検知された場合と、アンフォールディングインタラクションが検知された場合とに異なる画面をディスプレイするようにディスプレイ２３０を制御することができる。
【０１１７】
具体的に、制御部２９０は、図１１Ａに示すように、露出領域に音楽アプリケーションに対応するＵＩ１１１０をディスプレイするようにディスプレイ２３０を制御することができる。
【０１１８】
露出領域に音楽アプリケーションに対応するＵＩ１１１０がディスプレイされる外部からメッセージが受信された場合、制御部２９０は、図１１Ｂに示すように、露出領域に音楽アプリケーションＵＩ１１１０とともにメッセージが受信されたことを報知するＵＩ１１２０をディスプレイするようにディスプレイ２３０を制御することができる。
【０１１９】
このとき、露出領域をタッチしていない状態で、ディスプレイ２３０をアンフォールディングするアンフォールディングインタラクションが検知された場合、制御部２９０は、図１１Ｃに示すように、従来実行される音楽アプリケーションの実行画面１１３０をディスプレイするようにディスプレイ２３０を制御することができる。このとき、音楽アプリケーションの実行画面１１３０の一領域にメッセージが受信されたことを報知するＵＩ１１３５が予め設定された時間の間ディスプレイされてよい。
【０１２０】
しかし、露出領域にディスプレイされたメッセージが受信されたことを報知するＵＩ１１２０がタッチされた状態でディスプレイ２３０をアンフォールディングするアンフォールディングインタラクションが検知された場合、制御部２９０は、図１１Ｄに示すように、受信されたメッセージに返事メッセージを作成することができるメッセージウィンドウ１１４０をディスプレイするようにディスプレイ２３０を制御することができる。
【０１２１】
なお、制御部２９０は、アンフォールディングインタラクション及びロック解除のためのタッチインタラクションが検知された順番に応じて異なる画面をディスプレイするようにディスプレイ２３０を制御することができる。
【０１２２】
具体的に、図１２Ａの左側に示すように、露出領域にユーザ端末装置２００のロック解除のためのＵＩ１２１０がディスプレイされる間、ロック解除のためのタッチインタラクションが検知された場合、制御部２９０は、ユーザ端末装置２００のロック状態を解除し、図１２Ａの右側に示すように、露出領域に時間情報を含む第１ホーム画面１２２０をディスプレイするようにディスプレイ２３０を制御することができる。
【０１２３】
なお、図１２Ｂの左側に示すように、露出領域にユーザ端末装置２００のロック解除のためのＵＩ１２１０がディスプレイされる間、ロック解除のためのタッチインタラクションが検知され、アンフォールディングインタラクションが検知された場合、制御部２９０は、ユーザ端末装置２００のロック状態を解除し、図１２Ｂの右側に示すように、全画面に第２ホーム画面１２３０をディスプレイするようにディスプレイ２３０を制御することができる。
【０１２４】
なお、図１２Ｃの左側に示すように、露出領域に映像がディスプレイされない間、アンフォールディングインタラクションが検知された場合、制御部２９０は、図１２Ｃの右側に示すように、全画面でユーザ端末装置２００のロック解除のためのＵＩ１２４０をディスプレイするようにディスプレイ２３０を制御することができる。全画面でディスプレイされたユーザ端末装置２００のロック解除のためのＵＩ１２４０にロック解除のためのタッチインタラクションが検知された場合、制御部２９０はユーザ端末装置２００のロック状態を解除し、図１２Ｂの右側に示すように、全画面に第２ホーム画面１２３０をディスプレイするようにディスプレイ２３０を制御することができる。
【０１２５】
なお、制御部２９０は、露出領域に特定アプリケーションに対応するＵＩがディスプレイされる間、アンフォールディングインタラクションのみが検知された場合にディスプレイされる画面と、露出領域をタッチした後にアンフォールディングインタラクションが検知された場合にディスプレイされる画面とを異なるようにディスプレイするようにディスプレイ２３０を制御することができる。
【０１２６】
具体的に、ディスプレイ２３０がフォールディングされた状態で外部から通話要請が受信された場合、制御部２９０は、図１３Ａの左側に示すように、露出領域の通話要請が受信されたことを報知するＵＩ３１０をディスプレイするようにディスプレイ２３０を制御することができる。そして、露出領域にディスプレイされたＵＩ１３１０をタッチした後にディスプレイ２３０をアンフォールディングするアンフォールディングインタラクションが検知された場合、制御部２９０は、図１３Ａの左下に示すように、全画面に通話機能に関連するアプリケーションであるカレンダアプリケーションの実行画面１３２０（更に別の実施形態として、メモアプリケーションの実行画面等）をディスプレイするようにディスプレイ２３０を制御することができる。一方、露出領域にディスプレイされたＵＩ１３１０をタッチしていない状態で、ディスプレイ２３０をアンフォールディングするアンフォールディングインタラクションが検知された場合、制御部２９０は、図１３Ａの右下に示すように、全画面に通話画面１３３０をディスプレイするようにディスプレイ２３０を制御することができる。
【０１２７】
なお、音楽アプリケーションが実行される間、ディスプレイ２３０がフォールディングされるフォールディングインタラクションが検知された場合、制御部２９０は、図１３Ｂの上側領域に示されるように、露出領域に音楽アプリケーションを制御することができるＵＩ１３４０をディスプレイするようにディスプレイ２３０を制御することができる。そして、露出領域にディスプレイされたＵＩ１３４０をタッチした後、ディスプレイ２３０をアンフォールディングするアンフォールディングインタラクションが検知された場合、制御部２９０は、図１３Ｂの左下に示すように、音楽再生を維持し、全画面に再生リスト１３５０をディスプレイするようにディスプレイ２３０を制御することができる。一方、露出領域にディスプレイされたＵＩ１３４０をタッチしていない状態で、ディスプレイ２３０をアンフォールディングするアンフォールディングインタラクションが検知された場合、制御部２９０は、図１３Ｂの右下に示すように、全画面に音楽プレーヤ画面１３６０をディスプレイするようにディスプレイ２３０を制御することができる。
【０１２８】
なお、ディスプレイ２３０のヒンジ角度が予め設定された角度だけアンフォールディングされる第１アンフォールディングインタラクションが検知された場合、制御部２９０は、特定機能を実行するための少なくとも１つのアイコンをディスプレイするようにディスプレイ２３０を制御することができる。そして、少なくとも１つのアイコンをタッチした状態で、ディスプレイ２３０を完全にアンフォールディングする第２アンフォールディングインタラクションが検知された場合、制御部２９０は、タッチされたアイコンに対応する機能を実行することができる。
【０１２９】
本発明の一実施形態、ディスプレイ２３０がフォールディングされた状態で外部から通話要請が受信された場合、制御部２９０は、図１４Ａに示すように、露出領域に通話要請が受信されたことを報知するＵＩ１４１０をディスプレイするようにディスプレイ２３０を制御することができる。
【０１３０】
通話要請が受信されたことを報知するＵＩ１４１０がディスプレイされる間、ディスプレイ２３０のヒンジ角度が予め設定された角度（例えば、３０度ないし１５０度）だけアンフォールディングされる第１アンフォールディングインタラクションが検知された場合、制御部２９０は、図１４Ｂに示すように、通話に関連する多様な機能を行うことができる複数のアイコン１４３０−１ないし１４３０−３を含むＵＩ１４２０をディスプレイするようにディスプレイ２３０を制御することができる。
【０１３１】
そして、複数のアイコン１４３０−１ないし１４３０−３のうち、写真共有アイコンをタッチした状態でディスプレイ２３０を完全にアンフォールディングする（すなわち、ディスプレイ２３０のヒンジ角度が１８０になるようにアンフォールディングする）アンフォールディングインタラクションが検知された場合、制御部２９０は、通話要請を受け入れ、図１４Ｃに示すように、上段領域に通話画面１４４０をディスプレイし、共有しようとする写真を選択することができるリスト１４５０をディスプレイするようにディスプレイ２３０を制御することができる。このとき、リスト１４５０に含まれた複数の写真のうちの１つを通話画面１４４０にドラッグするタッチインタラクションが検知された場合、制御部２９０はタッチインタラクションが検知された写真を受信者に伝送するように通信部２４０を制御することができる。
【０１３２】
なお、アンフォールディングインタラクションが検知される場合、制御部２９０は、アンフォールディングインタラクションが検知される間、ディスプレイ２３０のヒンジ角度に応じて複数の報知メッセージをディスプレイするようにディスプレイ２３０を制御することができる。このとき、報知メッセージにはメッセージの受信を報知する報知メッセージ、不在着信を報知する報知メッセージ、ＳＮＳメッセージまたはＳＭＳメッセージの受信を報知する報知メッセージ、アプリケーションのアップデートを報知する報知メッセージ等が含まれてよい。
【０１３３】
具体的に、図１５Ａに示すように、制御部２９０はディスプレイ２３０がフォールディングされた状態で１つの報知メッセージ１５１０をディスプレイするようにディスプレイ２３０を制御することができる。そして、ディスプレイ２３０をアンフォールディングするアンフォールディングインタラクションが検知された場合、制御部２９０はディスプレイ２３０のヒンジ角度に応じて異なる数の報知メッセージをディスプレイするようにディスプレイ２３０を制御することができる。例えば、ディスプレイ２３０のヒンジ角度が第１角度範囲（例えば、５度ないし１５度）内に存在する場合、制御部２９０は２つの報知メッセージ１５１０、１５２０をディスプレイするようにディスプレイ２３０を制御することができる。そして、ディスプレイ２３０のヒンジ角度が第２角度範囲（例えば、１５度ないし２５度）内に存在する場合、制御部２９０は、３つの報知メッセージ１５１０、１５２０をディスプレイするようにディスプレイ２３０を制御することができる。すなわち、制御部２９０は、ディスプレイ２３０のヒンジ角度が大きくなるほどディスプレイされる報知メッセージの数を増加させてよい。
【０１３４】
そして、ディスプレイ２３０のヒンジ角度が第４角度範囲（例えば、３５度ないし４５度）内に存在する場合、制御部２９０は、図１５Ｂに示すように、（できるだけ重畳するように）５つの報知メッセージ１５１０ないし１５５０をディスプレイするようにディスプレイ２３０を制御することができる。このとき、図１５Ｂに示すように、最も最近アップデートされた第１報知メッセージ１５１０が一番上に配置されてよい。
【０１３５】
そして、図１５Ｂに示すように、５つの報知メッセージ１５１０ないし１５５０がディスプレイされる間、第２報知メッセージ１５２０をタッチした状態でディスプレイ２３０を再びフォールディングするフォールディングインタラクションが検知された場合、制御部２９０は、図１５Ｃに示すように、露出領域に第２報知メッセージ１５２０をディスプレイするようにディスプレイ２３０を制御することができる。
【０１３６】
そして、図１５Ｂに示すように、５つの報知メッセージ１５１０ないし１５５０がディスプレイされる間、第２報知メッセージ１５２０をタッチした状態で、ディスプレイ２３０を完全にアンフォールディングするアンフォールディングインタラクションが検知された場合、制御部２９０は、図１５Ｄに示すように、全画面に第２報知メッセージ１５２０に対応する画面をディスプレイするようにディスプレイ２３０を制御することができる。
【０１３７】
なお、制御部２９０は、ディスプレイ２３０がフォールディングされた状態で露出領域から検知されるタッチインタラクションの方向に応じて異なる機能を行うことができる。
【０１３８】
具体的に、ディスプレイ２３０がフォールディングされた状態で外部からメッセージが受信された場合、制御部２９０は、図１６Ａに示すように、露出領域にメッセージが受信されたことを報知するＵＩ１６１０をディスプレイするようにディスプレイ２３０を制御することができる。
【０１３９】
このとき、メッセージが受信されたことを報知するＵＩ１６１０に左右方向のタッチインタラクションが検知された場合、制御部２９０はタッチインタラクションに応じて露出領域に以前受信されたメッセージまたは次に受信されたメッセージを報知するＵＩをディスプレイするようにディスプレイ２３０を制御することができる。
【０１４０】
なお、メッセージが受信されたことを報知するＵＩ１６１０は下方へのタッチインタラクションが検知された場合、制御部２９０は現在受信されたメッセージを削除することができる。
【０１４１】
なお、メッセージが受信されたことを報知するＵＩ１６１０に上方へのタッチインタラクションが検知された場合、制御部２９０は全画面に受信されたメッセージをディスプレイするように受信されたメッセージを保存することができる。具体的に、図１６Ｂの左上に示すように、第１メッセージが受信されたことを報知するＵＩ１６２０に上方へのタッチインタラクションが検知され、第２メッセージが受信されたことを報知するＵＩ１６３０に上方へのタッチインタラクションが検知され、第３メッセージが受信されたことを報知するＵＩ１６４０に上方へのタッチインタラクションが検知された後、ディスプレイ２３０をアンフォールディングするアンフォールディングインタラクションが検知された場合、制御部２９０は、図１６Ｂの右下に示すように、第１メッセージを含む画面１６２０’、第２メッセージを含む画面１６３０’、第３メッセージを含む画面１６４０’及びホーム画面１６５０をディスプレイするようにディスプレイ２３０を制御することができる。
【０１４２】
＜ディスプレイ２３０の形の変形にも現在の機能維持＞
制御部２９０は、フォールディングインタラクションまたはアンフォールディングインタラクションに応じて、ディスプレイ２３０の形が変更されても現在の機能を維持し、現在の機能に対応する画面をディスプレイするようにディスプレイ２３０を制御することができる。
【０１４３】
本発明の一実施形態として、音楽アプリケーションを実行する間、ディスプレイ２３０をフォールディングするフォールディングインタラクションが検知された場合、制御部２９０は、図１７Ａに示すように、露出領域に音楽アプリケーションに対応するＵＩ１７１０をディスプレイするようにディスプレイ２３０を制御することができる。露出領域に音楽アプリケーションに対応するＵＩ１７１０がディスプレイされる間、通話要請が受信された場合、制御部２９０は、図１７Ｂに示すように、露出領域に通話要請が受信されたことを報知するＵＩ１７２０をディスプレイするようにディスプレイ２３０を制御することができる。露出領域に通話要請が受信されたことを報知するＵＩ１７２０がディスプレイされる間、ディスプレイ２３０をアンフォールディングするアンフォールディングインタラクションが検知された場合、制御部２９０は、図１７Ｃに示すように、全画面で通話画面１７３０をディスプレイするようにディスプレイ２３０を制御することができる。そして、通話が終了した場合、制御部２９０は、図１７Ｄに示すように、全画面で音楽アプリケーションの実行画面１７４０をディスプレイするようにディスプレイ２３０を制御することができる。そして、再びディスプレイ２３０をフォールディングするフォールディングインタラクションが検知された場合、制御部２９０は、図１７Ｅに示すように、露出領域に音楽アプリケーションに対応するＵＩ１７１０をディスプレイするようにディスプレイ２３０を制御することができる。
【０１４４】
更に別の実施形態として、制御部２９０は、図１８Ａに示すように、音楽アプリケーションが実行される間、全画面で音楽アプリケーションの実行画面１８１０をディスプレイするようにディスプレイ２３０を制御することができる。そして、外部から通話要請が受信された場合、制御部２９０は、図１８Ｂに示すように、通話を受諾するか否かを確認するための画面１８２０をディスプレイするようにディスプレイ２３０を制御することができる。そして、通話を受諾するか否かを確認するための画面１８２０をディスプレイする間、ディスプレイ２３０をフォールディングするフォールディングインタラクションが検知された場合、制御部２９０は、図１８Ｃに示すように、露出領域に通話要請の拒絶を報知するＵＩ１８３０をディスプレイするようにディスプレイ２３０を制御することができる。
【０１４５】
そして、通話が終了した場合、制御部２９０は、図１８Ｄに示すように、露出領域に音楽アプリケーションに対応するＵＩ１８４０をディスプレイするようにディスプレイ２３０を制御することができる。そして、再びディスプレイ２３０をアンフォールディングするアンフォールディングインタラクションが検知された場合、制御部２９０は、図１８Ｅに示すように、全画面で音楽アプリケーションの実行画面１８１０をディスプレイするようにディスプレイ２３０を制御することができる。
【０１４６】
なお、制御部２９０は、ディスプレイ２３０のヒンジ角度に応じてユーザが視聴できるディスプレイ領域を判断し、判断されたディスプレイ領域に異なる量の情報を含む画面をディスプレイするようにディスプレイ２３０を制御することができる。このとき、ディスプレイ２３０のヒンジ角度と視聴可能なディスプレイ領域とは相互マッチングして保存されてよい。
【０１４７】
本発明の一実施形態として、通話を行う間にディスプレイ２３０がアンフォールディングされた場合、制御部２９０は、図１９Ａに示すように、全画面に第１通話画面１９１０をディスプレイするようにディスプレイ２３０を制御することがきる。
【０１４８】
なお、通話を行う間にディスプレイ２３０のヒンジ角度がθだけフォールディングされた場合、制御部２９０はヒンジ角度に対応するディスプレイ領域を判断し、図１９Ｂに示すように、判断されたディスプレイ領域に第２通話画面１９２０をディスプレイするようにディスプレイ２３０を制御することができる。このとき、第２通話画面１９２０は、第１通話画面１９１０に含まれた情報量及びアイコンより少ない情報量及びアイコンを含んでよい。
【０１４９】
なお、通話を行う間にディスプレイ２３０がフォールディングされた場合、制御部２９０は、図１９Ｃに示すように、露出領域に通話が行われていることを報知するＵＩ１９３０をディスプレイするようにディスプレイ２３０を制御することができる。
【０１５０】
本発明の別の実施形態として、ナビゲーションアプリケーションが実行される間にディスプレイ２３０がアンフォールディングされた場合、制御部２９０は、図２０Ａに示すように、全画面に第１ナビゲーション画面２０１０をディスプレイするようにディスプレイ２３０を制御することができる。
【０１５１】
なお、ナビゲーションアプリケーションが実行される間にディスプレイ２３０のヒンジ角度がθだけフォールディングされた場合、制御部２９０はヒンジ角度に対応するディスプレイ領域を判断し、図２０Ｂに示すように、判断されたディスプレイ領域に第２ナビゲーション２０２０をディスプレイするようにディスプレイ２３０を制御することができる。このとき、第２ナビゲーション画面１９２０が報知する領域が第１ナビゲーション画面１９１０が報知する領域より小さくてよい。
【０１５２】
なお、ナビゲーションアプリケーションが実行される間にディスプレイ２３０がフォールディングされた場合、制御部２９０は、図２０Ｃに示すように、露出領域に第３ナビゲーション画面ＵＩ２０３０をディスプレイするようにディスプレイ２３０を制御することができる。このとき、第３ナビゲーション画面２０３０には、第１ナビゲーション画面２０１０及び第２ナビゲーション画面２０２０と違い、マップ画面ではない、方向情報及び距離情報のみを含んでよい。しかし、マップ画面は、第３ナビゲーション画面２０３０上の露出領域に含まれてよい。
【０１５３】
なお、制御部２９０は、フォールディングインタラクションまたはアンフォールディングインタラクションが検知されたとしても、画面の大きさ及び方向に対応するように情報を再構成してディスプレイするようにディスプレイ２３０を制御することができる。
【０１５４】
具体的に、図２１Ａに示すように、全画面に第１アドレス帳リスト２１１０がディスプレイされる間、ディスプレイ２３０がフォールディングされるフォールディングインタラクションが検知された場合、制御部２９０は、図２１Ｂに示すように、露出領域に第２アドレス帳リスト２１２０をディスプレイするようにディスプレイ２３０を制御することができる。このとき、第１アドレス帳リスト２１１０にはユーザのイメージ情報、氏名情報、電話番号情報、「すぐ電話をかける」アイコン等が含まれてよく、第２アドレス帳リスト２１２０にはユーザのイメージ情報及び氏名情報のみが含まれてよいが、それに限定されない。
【０１５５】
なお、図２２Ａに示すように、ディスプレイ２３０がフォールディングされた状態で露出領域にニュースのタイトル２２１０がディスプレイされる間、ディスプレイ２３０がアンフォールディングされるアンフォールディングインタラクションが検知された場合、制御部２９０は、図２２Ｂに示すように、ニュースのタイトルだけでなく、ニュースイメージ、ニューステクストを含む全画面２２２０をディスプレイするようにディスプレイ２３０を制御することができる。
【０１５６】
なお、制御部２９０は、ディスプレイ２３０がフォールディングされる場合、露出される露出領域と隠されるヒドゥン領域とに異なる情報をディスプレイするようにディスプレイ２３０を制御することができる。このとき、制御部２９０は、図２３Ａに示すように、露出領域２３１０には共用情報（ｐｕｂｌｉｃ  ｉｎｆｏｒｍａｔｉｏｎ）をディスプレイするようにディスプレイ２３０を制御し、ヒドゥン領域２３２０には個人情報（ｐｒｉｖａｔｅ  ｉｎｆｏｒｍａｔｉｏｎ）をディスプレイするようにディスプレイ２３０を制御することができる。例えば、制御部２９０は、図２３Ｂに示すように、露出領域２３３０には共用情報であるバーコード情報をディスプレイするようにディスプレイ２３０を制御し、ヒドゥン領域２３４０には個人情報であるクレジットカードリスト、取引情報等をディスプレイするようにディスプレイ２３０を制御することができる。
【０１５７】
以下では、図２４を参照して、本発明の一実施形態に係るユーザ端末装置２００のディスプレイ方法について説明する。
【０１５８】
具体的に、ユーザ端末装置２００は、フォールディングラインを基準に第１領域及び第１領域より広い第２領域に区分されるディスプレイ２３０に映像をディスプレイする（Ｓ２４１０）。
【０１５９】
そして、ユーザ端末装置２００は、ディスプレイ２３０がフォールディングされたか否かを判断する（Ｓ２４２０）。
【０１６０】
ディスプレイ２３０がフォールディングされた場合（Ｓ２４２０−Ｙ）、ユーザ端末装置２００は第２領域の中の一部に露出される露出領域に予め設定されたＵＩをディスプレイする（Ｓ２４３０）。このとき、予め設定されたＵＩは、ユーザ端末装置２００の状態情報を含むＵＩ、ユーザ端末装置２００を制御するためのＵＩを含んでよい。
【０１６１】
上述のように、ディスプレイ２３０がフォールディングされる際、外部に露出される露出領域にＵＩをディスプレイすることで、ユーザはディスプレイがフォールディングされた状態でも、露出領域にディスプレイされるＵＩを通じてユーザ端末装置の多様な機能を行うことができ、多様な情報の提供を受けることができるようになる。
【０１６２】
図２５Ａないし図２７Ｂは、本発明の一実施形態に係るフォールディングインタラクション及びアンフォールディングインタラクションに応じて、ユーザ端末装置の多様な機能を行う実施形態について説明するための図である。
【０１６３】
本発明の一実施形態として、ディスプレイ２３０がフォールディングされた状態で外部からメッセージが受信されたことを報知するＵＩがディスプレイされる間にアンフォールディングインタラクションが検知された場合、制御部２９０は外部から受信されたメッセージをディスプレイするようにディスプレイ２３０を制御することができる。
【０１６４】
具体的に、ディスプレイ２３０がフォールディングされた状態でＳＮＳメッセージまたはＳＭＳメッセージが受信された場合、制御部２９０は、図２５Ａに示すように、露出領域にＳＮＳメッセージまたはＳＭＳメッセージが受信されたことを報知するＵＩ２５１０をディスプレイするようにディスプレイ２３０を制御することができる。このとき、ＳＮＳメッセージまたはＳＭＳメッセージが受信されたことを報知するＵＩ２５１０には、受信されたＳＮＳメッセージまたはＳＭＳメッセージの発信者、発信時刻、メッセージタイトル、一部の内容等が含まれてよい。そして、フォールディングされた状態のディスプレイ２３９をアンフォールディングするアンフォールディングインタラクションが検知された場合、制御部２９０は、図２５Ｂに示すように、受信されたＳＮＳメッセージまたはＳＭＳメッセージの具体的な内容をディスプレイするようにディスプレイ２３０を制御することができる。このとき、ＳＮＳメッセージまたはＳＭＳメッセージの具体的な内容は、ＳＮＳメッセージまたはＳＭＳメッセージの発信者、発信時刻、メッセージタイトル、具体的な内容、ＳＮＳメッセージ編集アイコンまたはＳＭＳメッセージ編集アイコン等を含んでよい。
【０１６５】
本発明の別の実施形態として、ディスプレイ２３０がアンフォールディングされた状態で、特定アプリケーションが実行される間にフォールディングインタラクションが検知された場合、制御部２９０は特定アプリケーションの実行画面に関連するグラフィック効果を露出領域にディスプレイするようにディスプレイ２３０を制御することができる。
【０１６６】
具体的に、図２６Ａに示すように、ディスプレイ２３０がアンフォールディングされた状態で音楽アプリケーションの実行画面２６１０がディスプレイされる間フォールディングインタラクションが検知された場合、制御部２９０は、図２６Ｂに示すように、現在実行される音楽のイコライザアニメーション２６２０を露出領域にディスプレイするようにディスプレイ２３０を制御することができる。
【０１６７】
なお、図２７Ａに示すように、ディスプレイ２３０がアンフォールディングされた状態で天気アプリケーションの実行画面２７１０がディスプレイされる間にフォールディングインタラクションが検知された場合、制御部２９０は、図２７Ｂに示すように、現在の天気に関連するアニメーション（例えば、曇り空）２７２０を露出領域にディスプレイするようにディスプレイ２３０を制御することができる。
【０１６８】
一方、上述の実施形態では、露出領域が特定カバーに覆われずに外部に露出されるものとして説明したが、それは一実施形態に過ぎず、露出領域を保護するために特定カバーで露出領域を覆うことができる。
【０１６９】
本発明の一実施形態として、ユーザ端末装置２００は露出領域を保護するために、露出領域上に透明カバーを含むことができる。
【０１７０】
例えば、フォールディングラインが長い辺に平行して位置する場合、ユーザ端末装置２００は、図２８Ａないし図２８Ｄに示すように、透明カバー２８１０を含むことができる。図２８Ａは、透明カバー２８１０を含むユーザ端末装置２００の側面図を示す図であり、図２８Ｂは、透明カバー２８１０を含むユーザ端末装置２００の平面図を示す図であり、図２８Ｃは、透明カバー２８１０を含むユーザ端末装置２００がフォールディングされた状態での斜視図を示す図であり、図２８Ｄは、透明カバー２８１０を含むユーザ端末装置２００が特定角度にアンフォールディングされた状態での斜視図を示す図である。
【０１７１】
なお、フォールディングラインが短い辺と平行して位置する場合、ユーザ端末装置２００は、図２９Ａないし図２９Ｃに示すように、透明カバー２９１０を含んでよい。図２９Ａは、透明カバー２９１０を含むユーザ端末装置２００の側面図を示す図であり、図２９Ｂは、透明カバー２９１０を含むユーザ端末装置２００の平面図を示す図であり、図２９Ｃは、透明カバー２９１０を含むユーザ端末装置２００がフォールディングされた状態での斜視図を示す図である。
【０１７２】
本発明の別の実施形態として、ユーザ端末装置２００は露出領域を保護するために露出領域上に多孔カバーを含んでよい。
【０１７３】
具体的に、ユーザ端末装置２００は、図３０Ａないし図３０Ｃに示すように、上段が透明であり、露出領域と相接する下段に多孔が形成された多孔カバー３０１０を含んでよい。図３０Ａは、多孔カバー３０１０を含むユーザ端末装置２００の側面図を示す図であり、図３０Ｂは、多孔カバー３０１０を含むユーザ端末装置２００の平面図を示す図であり、図３０Ｃは、多孔カバー３０１０を含むユーザ端末装置２００がフォールディングされた状態における斜視図を示す図である。特に、多孔カバー３０１０が存在する場合、ユーザ端末装置２００は多孔カバー３０１０に形成された多孔を用いて多様な情報（例えば、現在時刻、天気、メッセージが受信されたことを報知するＵＩ等）及びイメージ効果をユーザに提供することができる。
【０１７４】
透明カバー２８１０、２９１０が存在する場合、制御部２９０はディスプレイ２３０がフォールディングされた状態で透明カバー２８１０、２９１０の位置する領域に対するタッチ入力を検知することができる。
【０１７５】
なお、ディスプレイ２３０がフォールディングされた状態で露出領域をタッチした後、露出領域以外のディスプレイカバー領域またはベゼル領域でタッチ入力が終了するタッチインタラクションが検知された場合、制御部２９０は、検知されたタッチインタラクションによって特化した機能を行うことができる。
【０１７６】
具体的に、図３１Ａ及び図３１Ｂの１に示すように、ディスプレイ２３０がフォールディングされた状態で露出領域をタッチした後、上段ディスプレイカバー領域でタッチ入力が終了するタッチインタラクションが検知された場合、制御部２９０は、タッチインタラクションによって第１機能（例えば、メッセージ保存等）を行うことができる。なお、図３１Ａの２に示すように、ディスプレイ２３０がフォールディングされた状態で露出領域をタッチした後、下段のベゼル領域でタッチ入力が終了するタッチインタラクションが検知された場合、制御部２９０は、タッチインタラクションに応じて第２機能（例えば、メッセージ削除等）を行うことができる。なお、図３１Ｂの３に示すように、透明カバー２８１０を含むユーザ端末装置２００のディスプレイ２３０がフォールディングされた状態で露出領域をタッチした後、下段のベゼル領域でタッチ入力が終了するタッチインタラクションが検知された場合、制御部２９０は、タッチインタラクションに応じて第２機能（例えば、メッセージ削除等）を行うことができる。
【０１７７】
なお、上述の１つ以上の実施形態に係るユーザ端末装置のディスプレイ方法は、プログラムで実現されてユーザ端末装置に提供されてよい。具体的に、ユーザ端末装置の制御方法を含むプログラムが保存された非一時的な読み取り可能な媒体（Ｎｏｎ−ｔｒａｎｓｉｔｏｒｙ  ｃｏｍｐｕｔｅｒ  ｒｅａｄａｂｌｅ  ｍｅｄｉｕｍ）が提供されてよい。
【０１７８】
非一時的な読み取り可能な媒体とは、半永久的にデータを保存し、機器によって読み取り（Ｒｅａｄｉｎｇ）が可能な媒体を意味する。具体的には、上述の多様なアプリケーションまたはプログラムは、ＣＤやＤＶＤ、ハードディスク、ブルーレイディスク、ＵＳＢ、メモリカード、ＲＯＭ等のような非一時的な読み取り可能な媒体に保存されて提供されてよい。
【０１７９】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【符号の説明】
【０１８０】
１００  ユーザ端末装置
１１０  ディスプレイ
１２０  検知部
１３０  制御部
【図１】
0006313475.tif 000002
【図２】
0006313475.tif 000003
【図３Ａ】
0006313475.tif 000004
【図３Ｂ】
0006313475.tif 000005
【図３Ｃ】
0006313475.tif 000006
【図３Ｄ】
0006313475.tif 000007
【図３Ｅ】
0006313475.tif 000008
【図４】
0006313475.tif 000009
【図５Ａ】
0006313475.tif 000010
【図５Ｂ】
0006313475.tif 000011
【図５Ｃ】
0006313475.tif 000012
【図５Ｄ】
0006313475.tif 000013
【図６Ａ】
0006313475.tif 000014
【図６Ｂ】
0006313475.tif 000015
【図６Ｃ】
0006313475.tif 000016
【図６Ｄ】
0006313475.tif 000017
【図７Ａ】
0006313475.tif 000018
【図７Ｂ】
0006313475.tif 000019
【図８Ａ】
0006313475.tif 000020
【図８Ｂ】
0006313475.tif 000021
【図９Ａ】
0006313475.tif 000022
【図９Ｂ】
0006313475.tif 000023
【図１０Ａ】
0006313475.tif 000024
【図１０Ｂ】
0006313475.tif 000025
【図１１Ａ】
0006313475.tif 000026
【図１１Ｂ】
0006313475.tif 000027
【図１１Ｃ】
0006313475.tif 000028
【図１１Ｄ】
0006313475.tif 000029
【図１２Ａ】
0006313475.tif 000030
【図１２Ｂ】
0006313475.tif 000031
【図１２Ｃ】
0006313475.tif 000032
【図１３Ａ】
0006313475.tif 000033
【図１３Ｂ】
0006313475.tif 000034
【図１４Ａ】
0006313475.tif 000035
【図１４Ｂ】
0006313475.tif 000036
【図１４Ｃ】
0006313475.tif 000037
【図１５Ａ】
0006313475.tif 000038
【図１５Ｂ】
0006313475.tif 000039
【図１５Ｃ】
0006313475.tif 000040
【図１５Ｄ】
0006313475.tif 000041
【図１６Ａ】
0006313475.tif 000042
【図１６Ｂ】
0006313475.tif 000043
【図１７Ａ】
0006313475.tif 000044
【図１７Ｂ】
0006313475.tif 000045
【図１７Ｃ】
0006313475.tif 000046
【図１７Ｄ】
0006313475.tif 000047
【図１７Ｅ】
0006313475.tif 000048
【図１８Ａ】
0006313475.tif 000049
【図１８Ｂ】
0006313475.tif 000050
【図１８Ｃ】
0006313475.tif 000051
【図１８Ｄ】
0006313475.tif 000052
【図１８Ｅ】
0006313475.tif 000053
【図１９Ａ】
0006313475.tif 000054
【図１９Ｂ】
0006313475.tif 000055
【図１９Ｃ】
0006313475.tif 000056
【図２０Ａ】
0006313475.tif 000057
【図２０Ｂ】
0006313475.tif 000058
【図２０Ｃ】
0006313475.tif 000059
【図２１Ａ】
0006313475.tif 000060
【図２１Ｂ】
0006313475.tif 000061
【図２２Ａ】
0006313475.tif 000062
【図２２Ｂ】
0006313475.tif 000063
【図２３Ａ】
0006313475.tif 000064
【図２３Ｂ】
0006313475.tif 000065
【図２４】
0006313475.tif 000066
【図２５Ａ】
0006313475.tif 000067
【図２５Ｂ】
0006313475.tif 000068
【図２６Ａ】
0006313475.tif 000069
【図２６Ｂ】
0006313475.tif 000070
【図２７Ａ】
0006313475.tif 000071
【図２７Ｂ】
0006313475.tif 000072
【図２８Ａ】
0006313475.tif 000073
【図２８Ｂ】
0006313475.tif 000074
【図２８Ｃ】
0006313475.tif 000075
【図２８Ｄ】
0006313475.tif 000076
【図２９Ａ】
0006313475.tif 000077
【図２９Ｂ】
0006313475.tif 000078
【図２９Ｃ】
0006313475.tif 000079
【図３０Ａ】
0006313475.tif 000080
【図３０Ｂ】
0006313475.tif 000081
【図３０Ｃ】
0006313475.tif 000082
【図３１Ａ】
0006313475.tif 000083
【図３１Ｂ】
0006313475.tif 000084